(57)【要約】【目的】  １台のデジタルミキサに備える操作子を用いてカスケード接続される複数のデジタルミキサにおけるパラメータの値を編集する場合の操作性を向上させる。【構成】  ｃｈ（チャンネル）ストリップ部の各ｃｈストリップに対するｃｈの割り当てを規定するレイヤ情報において、ｃｈストリップ部を有するデジタルミキサ自身のｃｈに加え、そのデジタルミキサにカスケード接続される他のデジタルミキサのｃｈも指定可能とし、ｃｈストリップに他のデジタルミキサのｃｈを割り当ててそのパラメータの値を変更する場合、その他のデジタルミキサに対して、その他のデジタルミキサのカレントメモリが記憶するパラメータの値の変更を行うよう要求するようにした。【選択図】        図７
2008227763.tif 000002
【特許請求の範囲】
【請求項１】
カレントメモリに記憶したパラメータの値に基づいて複数のチャンネルで信号処理を行い、複数のチャンネルストリップを有するチャンネルストリップ部を備えたデジタルミキサであって、
カレントメモリに記憶したパラメータの値に基づいて複数のチャンネルで信号処理を行い、かつ単独でもユーザの操作に応じて該信号処理を実行可能である他のデジタルミキサをカスケード接続するカスケード接続手段と、
前記チャンネルストリップ部の各チャンネルストリップに対する、当該デジタルミキサ又は当該デジタルミキサにカスケード接続された他のデジタルミキサが有するチャンネルのうちいずれか１つの割り当てを指定するレイヤ情報を、複数のレイヤについてそれぞれ記憶するレイヤ情報記憶手段と、
前記レイヤのいずれかを選択するレイヤ選択手段と、
前記チャンネルストリップに備える操作子の操作に応じて、前記レイヤ選択手段により選択されているレイヤに関するレイヤ情報に従って、その操作された操作子が属するチャンネルストリップに割り当てられたチャンネルのパラメータの値を変更するパラメータ編集手段とを有し、
前記パラメータ編集手段は、パラメータの値を変更すべきチャンネルが当該デジタルミキサが有するチャンネルであれば、当該デジタルミキサのカレントメモリが記憶するパラメータの値の変更を行い、パラメータの値を変更すべきチャンネルが他のデジタルミキサが有するチャンネルであれば、該他のデジタルミキサに対して、該他のデジタルミキサのカレントメモリが記憶するパラメータの値の変更を行うよう要求する手段であることを特徴とするデジタルミキサ。
【請求項２】
第１のカレントメモリに記憶したパラメータの値に基づいて複数のチャンネルで信号処理を行い、複数のチャンネルストリップを有するチャンネルストリップ部を備えたデジタルミキサであって、
カレントメモリに記憶したパラメータの値に基づいて複数のチャンネルで信号処理を行い、かつ単独でもユーザの操作に応じて該信号処理を実行可能である他のデジタルミキサをカスケード接続するカスケード接続手段と、
前記チャンネルストリップ部の各チャンネルストリップに対する、当該デジタルミキサ又は当該デジタルミキサにカスケード接続された他のデジタルミキサが有するチャンネルのうちいずれか１つの割り当てを指定するレイヤ情報を、複数のレイヤについてそれぞれ記憶するレイヤ情報記憶手段と、
前記レイヤのいずれかを選択するレイヤ選択手段と、
前記チャンネルストリップに備える操作子の操作に応じて、前記レイヤ選択手段により選択されているレイヤに関するレイヤ情報に従って、その操作された操作子が属するチャンネルストリップに割り当てられたチャンネルのパラメータの値を変更するパラメータ編集手段と、
当該デジタルミキサにカスケード接続された他の各デジタルミキサと対応する第２のカレントメモリと、
その第２のカレントメモリの内容を、前記他のデジタルミキサが備えるカレントメモリの内容と同期させる同期手段とを備え、
前記パラメータ編集手段は、パラメータの値を変更すべきチャンネルが当該デジタルミキサが有するチャンネルであれば、当該デジタルミキサの第１のカレントメモリが記憶するパラメータの値の変更を行い、パラメータの値を変更すべきチャンネルが他のデジタルミキサが有するチャンネルであった場合、該他のデジタルミキサと対応する第２のカレントメモリが記憶するパラメータの値の変更を行う手段であることを特徴とするデジタルミキサ。
【発明の詳細な説明】
【技術分野】
【０００１】
この発明は、カレントメモリに記憶したパラメータの値に基づいて複数のチャンネルで信号処理を行うデジタルミキサに関する。
【背景技術】
【０００２】
従来から、カレントメモリに記憶したパラメータの値に基づいて複数のチャンネル（ｃｈ）で信号処理を行うデジタルミキサとして、例えば非特許文献１に記載のものが知られている。
このデジタルミキサにおいては、一部のフェーダに所望のｃｈを割り当て、そのフェーダを、割り当てたｃｈのフェーダパラメータの値の編集に用いることができる。また、８本のフェーダに対してそれぞれ所望のｃｈを割り当てた割り当て内容をレイヤとし、そのレイヤを複数登録可能である。そしてユーザは、レイヤを選択することにより、そのレイヤにおける割り当て内容を上記の８本のフェーダに反映させることができる。
【０００３】
従って、ユーザは、フェーダに割り当てたいｃｈの数がフェーダの数より多い場合でも、レイヤの選択により、フェーダに対するｃｈの割り当て内容を簡単な操作で切り替えながら、フェーダに割り当てたｃｈのパラメータの編集を行うことができる。
また、特許文献１には、他のデジタルミキサとカスケード接続することが可能なデジタルミキサが記載されている。
【非特許文献１】「ＰＭ５Ｄ／ＰＭ５Ｄ−ＲＨ  取扱説明書」，ヤマハ株式会社，２００４年，ｐ．７２−７４，１３５−１３６
【特許文献１】特開２００５−２７４８２２号公報
【発明の開示】
【発明が解決しようとする課題】
【０００４】
ところで、非特許文献１に記載のデジタルミキサでは、レイヤによりフェーダに割り当て可能なｃｈは、自機のｃｈのみであった。これは、特許文献１に記載のように、複数のデジタルミキサをカスケード接続して使用する場合でも、各デジタルミキサに、自機が信号処理に使用するパラメータを記憶させ、自機に備える操作子により、自機が信号処理に使用するパラメータの編集操作を受け付ける構成を取っていたためである。
【０００５】
しかし、複数のデジタルミキサをカスケード接続して使用する場合、通常は、それらのデジタルミキサを協働的に動作させ、１つの大きなデジタルミキサとして機能させる。そして、このような場合、１台のデジタルミキサに備える操作子により、他のデジタルミキサのパラメータの値も設定できるようにすることが、操作性や、省スペース化の観点から好ましいと言える。このようにすれば、ユーザが複数のミキサの間を行き来しなくても設定作業を行うことができるし、パラメータ調整用の操作子を有する１台のデジタルミキサを、パラメータ調整用の操作子を有しない他のデジタルミキサとカスケード接続する構成が可能となり、１台ずつに大型の操作パネルを設ける場合に比べ、システム全体を小型化することができる。
【０００６】
しかし、従来のデジタルミキサでは、レイヤによりフェーダに割り当て可能なｃｈが自機のｃｈのみであるため、他のデジタルミキサのパラメータの値を編集する際に、レイヤによるｃｈの割り当てを活用できず、十分な操作性が得られないという問題があった。
これは、ｃｈの割り当て先がフェーダである場合だけでなく、どのような操作子又は操作子群にｃｈを割り当てる場合にも、同様に生じる問題である。
この発明は、このような問題を解決し、１台のデジタルミキサに備える操作子を用いてカスケード接続される複数のデジタルミキサにおけるパラメータの値を編集する場合の操作性を向上させることを目的とする。
【課題を解決するための手段】
【０００７】
上記の目的を達成するため、この発明は、カレントメモリに記憶したパラメータの値に基づいて複数のチャンネルで信号処理を行い、複数のチャンネルストリップを有するチャンネルストリップ部を備えたデジタルミキサにおいて、カレントメモリに記憶したパラメータの値に基づいて複数のチャンネルで信号処理を行い、かつ単独でもユーザの操作に応じてその信号処理を実行可能である他のデジタルミキサをカスケード接続するカスケード接続手段と、上記チャンネルストリップ部の各チャンネルストリップに対する、そのデジタルミキサ又はそのデジタルミキサにカスケード接続された他のデジタルミキサが有するチャンネルのうちいずれか１つの割り当てを指定するレイヤ情報を、複数のレイヤについてそれぞれ記憶するレイヤ情報記憶手段と、上記レイヤのいずれかを選択するレイヤ選択手段と、上記チャンネルストリップに備える操作子の操作に応じて、上記レイヤ選択手段により選択されているレイヤに関するレイヤ情報に従って、その操作された操作子が属するチャンネルストリップに割り当てられたチャンネルのパラメータの値を変更するパラメータ編集手段とを設け、上記パラメータ編集手段を、パラメータの値を変更すべきチャンネルがそのデジタルミキサが有するチャンネルであれば、そのデジタルミキサのカレントメモリが記憶するパラメータの値の変更を行い、パラメータの値を変更すべきチャンネルが他のデジタルミキサが有するチャンネルであれば、その他のデジタルミキサに対して、その他のデジタルミキサのカレントメモリが記憶するパラメータの値の変更を行うよう要求する手段としたものである。
【０００８】
また、この発明の別のデジタルミキサは、第１のカレントメモリに記憶したパラメータの値に基づいて複数のチャンネルで信号処理を行い、複数のチャンネルストリップを有するチャンネルストリップ部を備えたデジタルミキサにおいて、カレントメモリに記憶したパラメータの値に基づいて複数のチャンネルで信号処理を行い、かつ単独でもユーザの操作に応じてその信号処理を実行可能である他のデジタルミキサをカスケード接続するカスケード接続手段と、上記チャンネルストリップ部の各チャンネルストリップに対する、そのデジタルミキサ又はそのデジタルミキサにカスケード接続された他のデジタルミキサが有するチャンネルのうちいずれか１つの割り当てを指定するレイヤ情報を、複数のレイヤについてそれぞれ記憶するレイヤ情報記憶手段と、上記レイヤのいずれかを選択するレイヤ選択手段と、上記チャンネルストリップに備える操作子の操作に応じて、上記レイヤ選択手段により選択されているレイヤに関するレイヤ情報に従って、その操作された操作子が属するチャンネルストリップに割り当てられたチャンネルのパラメータの値を変更するパラメータ編集手段と、そのデジタルミキサにカスケード接続された他の各デジタルミキサと対応する第２のカレントメモリと、その第２のカレントメモリの内容を、上記他のデジタルミキサが備えるカレントメモリの内容と同期させる同期手段とを設け、上記パラメータ編集手段を、パラメータの値を変更すべきチャンネルがそのデジタルミキサが有するチャンネルであれば、そのデジタルミキサの第１のカレントメモリが記憶するパラメータの値の変更を行い、パラメータの値を変更すべきチャンネルが他のデジタルミキサが有するチャンネルであった場合、その他のデジタルミキサと対応する第２のカレントメモリが記憶するパラメータの値の変更を行う手段としたものである。
【発明の効果】
【０００９】
以上のようなこの発明のデジタルミキサによれば、１台のデジタルミキサに備える操作子を用いてカスケード接続される複数のデジタルミキサにおけるパラメータの値を編集する場合の操作性を向上させることができる。
【発明を実施するための最良の形態】
【００１０】
以下、この発明を実施するための最良の形態を図面に基づいて具体的に説明する。
まず、この発明の実施形態であるデジタルミキサを含むミキサシステムの構成について説明する。
図１はそのミキサシステムの構成を示すブロック図である。
【００１１】
図１に示すように、このミキサシステム１は、３台のデジタルミキサを接続して構成したものである。そして、そのうち１台は操作パネル１００を有するデジタルミキサ１０であり、残りの２台は、操作パネルを有しないデジタルミキサ３０である。これらの各デジタルミキサ１０，３０は、それぞれ単独でデジタルミキサとして動作させるに十分な信号処理機能を持っているが、互いに接続してミキサシステム１を形成させることにより、連携して動作させ、協同的に、単体の場合よりも大規模な信号処理を行わせることができる。
【００１２】
ここで、まずデジタルミキサ１０の構成について説明する。
図１に示すように、デジタルミキサ１０は、ＣＰＵ１１，フラッシュメモリ１２，ＲＡＭ１３，外部機器入出力部（Ｉ／Ｏ）１４，波形Ｉ／Ｏ１５，信号処理部（ＤＳＰ）１６，カスケードＩ／Ｏ１７，操作パネル１００を備え、これらがシステムバス１８によって接続されている。そして、複数の入力ポートから入力する音響信号に対し、複数の入力チャンネル（ｃｈ）を始めとする信号処理要素で種々の信号処理を施して出力する機能を有する。
【００１３】
そして、ＣＰＵ１１は、このデジタルミキサ１０の動作を統括制御する制御手段であり、フラッシュメモリ１２に記憶された所要の制御プログラムを実行することにより、外部機器Ｉ／Ｏ１４，波形Ｉ／Ｏ１５及びカスケードＩ／Ｏ１７における通信の制御、操作パネル１００における操作検出や表示の制御、ＤＳＰ１６における信号処理に使用するパラメータの値の設定／変更といった処理を行う。
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【００１４】
外部機器Ｉ／Ｏ１４は、種々の外部機器を接続し入出力を行うためのインタフェースであり、例えば外部のディスプレイ、マウス、文字入力用のキーボード、操作パネル等を接続するためのインタフェースが用意される。そして、本体の表示器や操作子をごく単純な構成にしたとしても、これらの外部機器を活用することによりパラメータの変更／設定や動作指示を行うことができるようにすることも考えられる。
さらに、パーソナルコンピュータ（ＰＣ）等の制御装置と通信を行うためのインタフェースとして、ＵＳＢ（Universal Serial Bus）方式のインタフェースや、イーサネット（登録商標）による通信を行うためのインタフェース等を設けてもよい。
【００１５】
波形Ｉ／Ｏ１５は、ＤＳＰ１６で処理すべき音響信号の入力を受け付け、また処理後の音響信号を出力するためのインタフェースである。そして、この波形Ｉ／Ｏ１５には、Ａ／Ｄ変換回路を備えたアナログ入力端子，Ｄ／Ａ変換回路を備えたアナログ出力端子，デジタル入出力用のデジタル入力端子及びデジタル出力端子を適宜組み合わせて複数設けている。拡張用のボードにより、端子数を増加させることも可能である。また、図示はしていないが、波形Ｉ／Ｏ１５には、デジタルミキサ１０の操作者がＤＳＰ１６で処理中の信号をモニタするために用いる操作者用モニタ出力端子も設けている。
【００１６】
ＤＳＰ１６は、信号処理回路を含み、波形Ｉ／Ｏ１５から入力する音響信号に対し、カレントメモリに記憶してある各種パラメータの値に従って、ミキシング、イコライジング等の各種信号処理を施して波形Ｉ／Ｏ１５に出力する信号処理手段である。カレントメモリの記憶領域は、ＲＡＭ１３あるいはＤＳＰ１６自身に備えるメモリに用意することが考えられる。信号処理の具体的な内容については、後に詳述する。
【００１７】
カスケードＩ／Ｏ１７は、デジタルミキサを複数カスケード接続して使用する際に、他のミキサエンジンとの間で、音響信号や制御信号の授受を行うためのインタフェースであり、カスケード接続手段である。
このカスケードＩ／Ｏ１７には、上流側のデジタルミキサと接続するための端子と、下流側のデジタルミキサと接続するための端子を設けており、複数のデジタルミキサをカスケード接続する場合、その接続は、方向性を有する直線的な接続となる。そして、直接接続されている装置間では、複数ｃｈ（ここでは３２ｃｈ）の音響信号と、コマンドやレスポンス等の制御信号の、双方向の送受信を行うことができる。直接接続されていない装置に対してこれらの信号を送信する場合には、直接は送信できないため、間に接続されている装置に順に送信を中継させる。
【００１８】
操作パネル１００は、表示器１０１，電動フェーダ１０２，操作子１０３を有し、パラメータの設定やモードの変更等に関するユーザからの指示を受け付けたり、ミキサシステム１を構成する各デジタルミキサの動作状況や設定内容、あるいは操作を受け付けるためのＧＵＩ（グラフィカル・ユーザ・インタフェース）等を表示するためのユーザインタフェースである。
【００１９】
このうち、表示器１０１は、例えば、液晶ディスプレイ（ＬＣＤ）や発光ダイオード（ＬＥＤ）等によって構成することができる。操作子の裏側にＬＥＤを配置したり、ＬＣＤにタッチパネルを積層したりして、表示器１０１と操作子１０３を兼ねるような構成とすることも可能である。
【００２０】
電動フェーダ１０２は、つまみの位置を移動させる駆動手段を設けたスライダ操作子であり、ＣＰＵ１１からの制御により、ユーザの操作がなくてもつまみを操作可能範囲中の任意の位置に移動させることができる。
操作子１０３は、ユーザの操作を受け付けるため電動フェーダ１０２以外の操作子であり、種々のキー、ボタン、ダイヤル、スライダ等によって構成することができる。また、表示器１０１を構成するＬＣＤにタッチパネルを積層して構成してもよい。
以上がデジタルミキサ１０の構成である。
【００２１】
これに対し、デジタルミキサ３０には、操作パネル１００を設けておらず、代わりに電源ＯＮ／ＯＦＦやごく基本的な操作を受け付けるための簡単な構成の操作子３１及び表示器３２を設けている点が、デジタルミキサ１０と異なる。そして、これに伴い、筐体のサイズや端子等の配置もデジタルミキサ１０と異なるが、それ以外の、ＤＳＰ１６が備える信号処理機能や、各種Ｉ／Ｏが備える端子数、ＣＰＵ１１の処理能力等は、デジタルミキサ１０と同じである。
【００２２】
すなわち、ミキサシステム１においては、デジタルミキサ３０をデジタルミキサ１０のカスケード接続して使用しているが、デジタルミキサ３０は１つの独立したミキサであり、単独でユーザの操作を受け付け、それに従って信号処理を実行することができる。操作については、外部機器Ｉ／Ｏ１４に他の機器を接続し、その機器からリモート制御すればよい。例えば、外部機器Ｉ／Ｏ１４にＰＣを接続して、ＰＣからのリモート制御によりデジタルミキサ３０を操作したり、外部機器Ｉ／Ｏ１４に、シーンリコール用の表示器やスイッチを備えるスイッチパネル、数チャンネル分の音量制御用フェーダを備えたフェーダパネル等の目的に応じた各種操作パネルを接続して、その操作パネルをデジタルミキサ３０の操作に使用することが考えられる。
【００２３】
従って、信号処理の内容について説明する場合には、デジタルミキサ１０とデジタルミキサ３０を区別する必要はないので、以降の説明では基本的に、各デジタルミキサについて、図１にカッコ付きで示した＃１〜＃３の符号を用いる。
なお、ミキサシステム１においては、デジタルミキサ＃１の操作パネル１００を操作することにより、３台のデジタルミキサが信号処理に使用するパラメータの値を全て設定できるようにしている。そしてこのため、他の２台のデジタルミキサ＃２，＃３は、細かな操作を行うための多数の操作子や表示器は必要ないので、極めて簡単な操作子３１や表示器３２のみを設ければよく、サイズ、重量及びコストの低減を図ることができる。なお、ＤＳＰ１６における信号処理の構成については、全てのデジタルミキサで一致させることが、デジタルミキサ１０とデジタルミキサ３０との制御プログラムの共通化および簡単化、制御対象又は編集対象のデジタルミキサを切り替えた時の動作の継続性などの点で好ましいが、これに限られることはない。
【００２４】
次に、図２に、図１に示したミキサシステム１が実行する信号処理の概略構成を示す。
図２に示す信号処理は、基本的にはＤＳＰ１６によって実現されるものであり、データの入出力に関する部分は、波形Ｉ／Ｏ１５又はカスケードＩ／Ｏ１７によって実現される。また、操作パネル１００から延びる矢印は、デジタルミキサ＃１に備える操作パネルから、３台のデジタルミキサでの信号処理に使用するパラメータの値を全て制御可能であることを示している。
【００２５】
各デジタルミキサは、図２に示すように、入力ポート４１，入力パッチ４２，入力ｃｈ４３，ミキシングバス４４，可変遅延４５，カスケードＯＮスイッチ４６，カスケードバス５１，５２，加算器５３，折り返しスイッチ５４，セレクタ６１，可変遅延６２，出力ｃｈ６３，出力パッチ６４，出力ポート６５を有する。
【００２６】
このうち、入力ポート４１は、波形Ｉ／Ｏ１５に、音響信号入力端子と対応させて設けられ、端子に接続されたケーブルから供給される音響信号を受け取るポートである。アナログ信号を受け取るアナログ入力ポートとデジタル信号を受け取るデジタル入力ポートとがあるが、ここではその違いは重要ではないので、まとめて入力ポート４１として示している。
【００２７】
入力パッチ４２は、入力ポート４１で受け取った音響信号を、入力パッチデータによって指定された対応関係に従い、その音響信号の処理に用いる入力ｃｈ４３に供給し、その入力ｃｈ４３での信号処理を行わせる機能を有する。
入力ｃｈ４３は、４８ｃｈ設けられ、入力パッチ４２によってパッチされたポートから入力する信号に対してリミッタ、コンプレッサ、イコライザ，フェーダ、パン等の信号処理要素により信号処理を行った後、２４本のミキシングバス４４それぞれに対して、処理後の信号をセンドレベル調整した上で送出する機能を有する。各入力ｃｈ４３においては、ミキシングバス４４の一本毎に、そのバスへの出力ＯＮ／ＯＦＦを設定可能である。
【００２８】
そして、各ミキシングバス４４は、各入力ｃｈ４３から入力する音響信号を混合して出力する機能を有する。
可変遅延４５は、ミキシングバス４４からの出力音響信号に対し、後述する所定時間の遅延を行う機能を有する。
カスケードＯＮスイッチ４６は、対応するミキシングバス４４からカスケードバス５１への出力ＯＮ／ＯＦＦを設定するスイッチであり、ミキシングバス毎にＯＮ／ＯＦＦを切り換えることができる。そして、これがＯＮであれば、ミキシングバス４４が出力した音響信号は、加算器５３により、カスケードバス５１に上流側（図で上側）のデジタルミキサから供給される音響信号に加算される。
【００２９】
カスケードバス５１は、カスケードＩ／Ｏ１７を介して接続される上流側のデジタルミキサから供給される音響信号に、加算器５３での加算処理を行って、同じくカスケードＩ／Ｏ１７を介して接続される下流側のデジタルミキサに送信するためのバスである。なお、カスケードバス５１，５２は、ミキシングバス４４と同数の２４系統設け、上流側のデジタルミキサの同系統のカスケードバス５１から音響信号の供給を受けるが、何番目のミキシングバス４４から出力された音響信号を何系統目のカスケードバス５１に加算するかは、後述するように、ユーザが行った設定の内容に従って定める。また、最上流のミキサエンジンにおいては、カスケードバス５１には上流側からの信号として無音の信号を入力する。
これらのカスケードバス５１及び加算器５３が、カスケードミックス手段である。
【００３０】
一方、カスケードバス５２は、カスケードバス５１とは逆向きに、下流側のデジタルミキサから供給される音響信号を、上流側のデジタルミキサに送信するためのバスである。このバスでは、特に信号の加工は行わない。またここでも、各デジタルミキサにおいて、カスケードバス５２は、下流側の同系統のカスケードバス５２から音響信号の供給を受ける。
このカスケードバス５２が、カスケード出力手段である。
【００３１】
そして、折り返しスイッチ５４は、カスケードバス５１で処理中の音響信号を、同系統のカスケードバス５２に供給するためのスイッチである。このスイッチは、カスケード接続の最下流のデジタルミキサ（ここではデジタルミキサ＃１）でのみＯＮされる。最下流のデジタルミキサでは、カスケードバス５２に音響信号を供給してくるデジタルミキサはないため、カスケードバス５２には、カスケードバス５１からのみ音響信号が供給される。従って、カスケードバス５２には、最上流のデジタルミキサ（ここではデジタルミキサ＃３）から最下流のデジタルミキサまで、ミキシングバス４４が出力する音響信号を順次加算器５３で加算して得られた音響信号が供給され、この音響信号を最上流のデジタルミキサに向かって戻していくことになる。
【００３２】
また、カスケードバス５２を通る音響信号は、セレクタ６１に供給される。
セレクタ６１は、各ミキシングバス４４と対応させて２４ユニット設けられ、ここには、対応するミキシングバス４４から出力され、可変遅延４５で遅延されただけの音響信号も供給される。なお、各系統のカスケードバス５２を通る音響信号をどのセレクタ６１に供給するかは、カスケードバス５１への加算時とは逆の対応関係により、あるミキシングバス４４から出力された信号が加算されている音響信号が、そのミキシングバス４４と対応するセレクタ６１に入力されるように定める。例えば、１番目のミキシングバス４４の出力を３番目の系統のカスケードバス５１に加算したのであれば、３番目の系統のカスケードバス５２の音響信号を、１番目のミキシングバス４４と対応する１番目のセレクタ６１に入力する。
【００３３】
そして、セレクタ６１は、カスケードＯＮスイッチ４６と連動し、これがＯＮであればカスケードバス５２から入力した信号を、ＯＦＦであればミキシングバス４４から可変遅延４５を介して入力した信号を選択する。前者の選択は、対応するミキシングバス４４に関して、カスケードバス５１，５２を用いて他のデジタルミキサとの間でのミキシングを行う機能（「カスケードリンク」と呼ぶ）が有効である場合に行うものであり、そのミキシングがなされた信号を選択するものである。後者の選択は、カスケードリンク機能が無効である場合に行うものであり、ミキシングバス４４から出力された状態のままの信号を選択するものである。
【００３４】
いずれの場合も、セレクタ６１が選択した音響信号は、可変遅延６２で遅延を行った後、対応する出力ｃｈ６３へ供給される。可変遅延６２での遅延は、可変遅延４５での遅延と合わせ、後述するように、カスケードリンクの際に生じる伝送遅延を調整するためのものである。
また、出力ｃｈ６３は、２４本のミキシングバス４４に対応して２４ｃｈ設けられ、各出力ｃｈ６３は、対応するバスから入力する音響信号に対してリミッタ、コンプレッサ、イコライザ、フェーダ等の信号処理要素により信号処理を行い、その処理後の音響信号を、出力パッチ６４に出力する機能を有する。
【００３５】
出力パッチ６４は、出力パッチデータによって指定された対応関係に従い、各出力ｃｈ６３から出力される音響信号を、その音響信号の出力に用いる出力ポートに供給する機能を有する。
出力ポート６５は、波形Ｉ／Ｏ１５に、音響信号出力端子と対応させて設けられ、波形Ｉ／Ｏ１５は、出力ポート６５に供給される音響信号を、対応する音響信号出力端子に接続されたケーブルに対して出力する。そして、出力した音響信号は、ケーブルの反対側の接続相手がスピーカであれば発音に、レコーダであれば録音に、というように、接続相手の機器に応じた用途で利用される。
【００３６】
以上がミキサシステム１が実行する信号処理の概略構成である。ただし、ここでは、説明を簡単にするため、複数設けたバスやｃｈ間での機能の違いは問題にしなかった。しかし、機能の異なるバスやｃｈを設けてもよい。例えば、入力ｃｈ４３として、ＳＴ入力ｃｈや、図示しない内蔵エフェクタにより処理した音響信号を入力するためのｃｈを設けることや、ミキシングバス４４として、ＳＴバス、ＡＵＸバス、ＣＵＥバス等を設けることが考えられる。なお、この場合、可変遅延４５，６２，セレクタ６１及び出力ｃｈ６３も、各ミキシングバスに対応させて設ける。カスケードバス５１，５２は、ミキシングバスの種類毎に、ミキシングバスと同数設け、対応する種類のカスケードバスを１対１対応でミキシングバスに割り当てられるようにする。
また、図２に示した各部の機能は、ソフトウェアによって実現しても、ハードウェアによって実現してもよい。
【００３７】
次に、可変遅延４５，６２の機能について、図３及び図４を用いて説明する。
図３は、カスケードバスに供給される音響信号の流れを示す図であり、図４は、カスケードリンクにより実現される機能を示す図である。
図２に示した各部の機能により、ミキサシステム１においては、図３に示すように、ミキシングバス４４でミキシングした音響信号をカスケードバス５１に供給し、カスケード接続の上流から下流まで順に、その供給される音響信号をカスケードバス５１で加算することができる。そして、その加算後の音響信号を、カスケードバス５２から各デジタルミキサの出力ｃｈ６３に供給することができる。
【００３８】
そしてこのことにより、図４に示すように、ミキサシステム１を構成する各デジタルミキサ＃１〜＃３について、ミキシングバスを全て接続し、各ミキサの入力ｃｈ４３で処理した音響信号を共通のミキシングバス４４′に入力してミキシングしたかのような出力を得ることができる。
【００３９】
なお、図３に示した通り、カスケードバス５１，５２で処理中の音響信号を、隣接するデジタルミキサ間で伝送する際には、一定の伝送遅延が生じる。従って、各装置において、ミキシングバス４４でミキシングした音響信号を単にカスケードバス５１に供給してしまうと、タイミングのずれた信号を加算してしまうことになる。そこで、カスケードバス５１への供給前に、可変遅延４５により、最上流のデジタルミキサから自機までに生じる伝送遅延と同じだけの遅延を加えることにより、加算時のタイミングを合わせることができる。
【００４０】
また、出力時にも、単にカスケードバス５２から供給される音響信号を出力してしまうと、伝送遅延分だけタイミングのずれた音響信号を出力してしまうことになる。そこで、可変遅延６２により、カスケードバス５２から供給される音響信号に、自機から最上流のデジタルミキサまでに生じる伝送遅延と同じだけの遅延を加えることにより、各デジタルミキサが出力する音響信号のタイミングを合わせることができる。
【００４１】
また、ミキシングバス４４のうち任意のバスでミキシングした音響信号を、破線で示すように、カスケードバスを介さずに出力ｃｈ６３に出力することも可能である。そして、この場合、出力音響信号には、伝送遅延が起こらないため、カスケードリンクを行った音響信号とは、タイミングがずれてしまうことも考えられる。そこで、図２には示していないが、このタイミングずれを調整するための可変遅延を、可変遅延４５とセレクタ６１の間に挿入してもよい。
【００４２】
次に、図５に、デジタルミキサ１０が備える操作パネル１００の構成を示す。
図５に示すとおり、操作パネル１００には、種々の表示器や操作子を設けている。
このうち、入力ｃｈストリップ部１１０は、入力ｃｈ４３における信号処理に用いるパラメータの値を編集するためのｃｈストリップを設けた部分である。
なお、ｃｈストリップとは、１つのｃｈに関するパラメータの値を編集するための操作子を集めた操作子群である。しかし、ｃｈストリップの操作子だけで１つのｃｈの全てのパラメータを編集できる必要はないし、編集するパラメータの項目を割り当て可能なアサイナブル操作子を含んでいてもよい。
【００４３】
入力ｃｈストリップ部１１０には、このようなｃｈストリップを１６ｃｈ分設けてあり、そのそれぞれに入力ｃｈを割り当てることにより、その割り当てた入力ｃｈのパラメータを編集するための操作子として機能させることができる。
また、この割り当ての内容、すなわちｃｈストリップと入力ｃｈとの対応関係は、入力ｃｈレイヤとして予め複数用意しておく。そして、その各入力ｃｈレイヤと対応するレイヤ選択スイッチ１１１を設け、レイヤ選択スイッチ１１１を操作することにより、操作したスイッチと対応する入力ｃｈレイヤを選択し、その入力ｃｈレイヤの内容に沿って、入力ｃｈストリップ部１１０の各ｃｈストリップに、入力ｃｈを割り当てることができる。
【００４４】
ここでは、１６のｃｈストリップに対し、それぞれ１〜１６番目の入力ｃｈを割り当てる入力ｃｈレイヤと、１７〜３２番目の入力ｃｈを割り当てる入力ｃｈレイヤと、３３〜４８番目の入力ｃｈを割り当てる入力ｃｈレイヤとの、３つの入力ｃｈレイヤを用意している。そして、これらを適宜選択することにより、１６のｃｈストリップにより、４８ｃｈの入力ｃｈ４３に関するパラメータの値を編集することができる。
【００４５】
次に、出力ｃｈストリップ部１２０は、出力ｃｈ６３における信号処理に用いるパラメータの値を編集するためのｃｈストリップを８ｃｈ分設けた部分である。そして、この８つのｃｈストリップに対し、それぞれ１〜８番目の出力ｃｈを割り当てる出力ｃｈレイヤと、９〜１６番目の出力ｃｈを割り当てる出力ｃｈレイヤと、１７〜２４番目の出力ｃｈを割り当てる出力ｃｈレイヤとの、３つのレイヤを用意し、これらと対応するレイヤ選択スイッチ１２１により、出力ｃｈレイヤを選択できるようにしている。従って、８のｃｈストリップにより、２４ｃｈの出力ｃｈ６３に関するパラメータの値を編集することができる。
【００４６】
なお、これらの入力ｃｈストリップ部１１０と出力ｃｈストリップ部１２０に関するレイヤの内容は固定であり、デジタルミキサ１０のフラッシュメモリ１２に記憶させておく。
一方、多用途ｃｈストリップ部１３０も、８ｃｈ分のｃｈストリップを設けた部分であるが、そのｃｈストリップに割り当てるｃｈを定める多用途レイヤの内容は、ユーザが自由に編集することができる。
【００４７】
図６に、多用途ｃｈストリップ部１３０におけるｃｈストリップの構成を示した。
この図に示すように、ｃｈストリップ１６０は、表示器１６１，ロータリーエンコーダ１６２，選択スイッチ１６３，オンスイッチ１６４，フェーダ操作子１６５，キュースイッチ１６６を有する。
このうち、表示器１６１は、複数色のバックライトを有する小型の液晶パネルであり、対応するｃｈストリップに割り当てたｃｈ等を示す文字列を表示する表示手段である。この表示に使用する文字列は、後述するようにユーザが多用途レイヤの情報の一部として設定する。
【００４８】
また、表示器１６１においては、点灯させるバックライトの色により、ｃｈストリップ１６０にどのデジタルミキサのｃｈが割り当てられているか、すなわち、ｃｈストリップ１６０の操作子を用いてどのデジタルミキサのパラメータを編集するかを表示することができる。例えば、デジタルミキサ＃１が割り当てられていれば青色、＃２であれば緑色、＃３であれば赤色、特定のミキサでない場合には白色の点灯をバックライトに行わせることが考えられる。
【００４９】
ロータリーエンコーダ１６２及びフェーダ操作子１６５は、アサイナブル操作子であり、例えばパンをロータリーエンコーダ１６２に、フェーダをフェーダ操作子１６５に割り当てることが考えられる。そして、これらの割り当ては、図５に示したＳＷ群１４５，１４８の操作子により行うことができる。また、フェーダ操作子１６５は図１の電動フェーダ１０２に相当する。
【００５０】
選択スイッチ１６３は、対応するｃｈを選択し、選択ｃｈ操作部１４１の操作子による操作対象としたり、表示パネル１４３にそのｃｈに関する情報を表示する画面を表示させたりするための操作子である。
オンスイッチ１６４は、対応するｃｈにおける出力オンオフを設定するための操作子である。
【００５１】
キュースイッチ１６６は、対応するｃｈで処理した音響信号の、モニタ用の信号を生成するためのＣＵＥバスへの出力オンオフを設定するための操作子である。
なお、入力ｃｈストリップ部１１０や出力ｃｈストリップ部１２０等の他のｃｈストリップ部に設けるｃｈストリップの構成は、必ずしもこれと一致している必要はない。すなわち、ｃｈストリップ部毎に、ｃｈストリップに設ける操作子の数や種類が異なっていてもよい。
【００５２】
図５の説明に戻ると、レイヤ選択スイッチ１３１は、多用途ｃｈストリップ部１３０におけるｃｈの割り当てに使用する多用途レイヤを選択するためのスイッチである。ここでは、ユーザが定義可能な６種類の多用途レイヤを選択するためのスイッチと、固定のＤＣＡレイヤを選択するためのスイッチの、計７つのスイッチを設けている。
【００５３】
なお、多用途レイヤにより多用途ｃｈストリップ部１３０に割り当て可能なｃｈや、多用途レイヤが含む情報は、入力ｃｈレイヤや出力ｃｈレイヤの場合よりも広範囲である。そして、それに伴って、レイヤ選択スイッチ１３１の操作に応じてデジタルミキサ１０が行う処理は、多用途ｃｈストリップ部１３０のｃｈストリップに対するｃｈの割り当てだけではないが、この点については後に詳述する。
【００５４】
また、操作パネル１００上の他の部分につき、選択ｃｈ操作部１４１は、図６に示した選択スイッチ１６３等により選択されたｃｈに関する種々のパラメータの値を編集するための操作子を集めた部分である。
レベルメータ１４２は、ＤＳＰ１６のうちユーザが選択した部分において処理中の音響信号のレベルを表示する表示器である。
表示パネル１４３は、デジタルミキサ１０の動作内容や、各デジタルミキサにおける設定内容を表示する画面や、ユーザからの指示を受け付けるためのＧＵＩ等を表示する表示器である。
【００５５】
機器選択スイッチ１４４は、操作パネル１００上の操作子によりパラメータの値を編集したり、表示器により設定内容を表示したりするデジタルミキサ（以下、「編集対象機器」と呼ぶ）を、ミキサシステム１を構成するデジタルミキサ＃１〜＃３の中から選択するためのスイッチである。ここでは、各デジタルミキサ＃１〜＃３において、信号処理の構成は全く同じとしているため、設定可能なパラメータの項目も同じである。従って、機器選択スイッチ１４４の操作に応じ、各操作子により編集するｃｈやパラメータの項目を変えずに、編集対象機器のみを変更することができる。
【００５６】
なお、多用途ｃｈストリップ部１３０及びＳＴ入力ｃｈストリップ部１４７の操作子については、機器選択スイッチ１４４の操作に応じた編集対象機器の切り替えは適用しないようにしている（多用途ｃｈストリップ部１３０においてＤＣＡレイヤが選択されている場合には、例外的に適用するが、説明を簡単にするため、以下の説明では、特に記載のない限り、このケースは考慮しない）。また、カスケード接続可能なミキサは、機器選択スイッチ１４４の数には必ずしも制限されない。例えば、機器選択スイッチ１４４に一部のミキサを割り当て、残りのミキサは、ＳＷ群１４５，１４８の操作子で選択するようにしてもよい。
【００５７】
ＳＷ群１４５，１４８は、アサイナブル操作子への設定項目の割り当て、ＳＴ入力ｃｈストリップ部１４７やマスタストリップ部１４９に備えるｃｈストリップへのｃｈの割り当て、表示パネル１４３に表示させる画面の切り替え、表示パネル１４３に表示させるＧＵＩに対する操作、及びその他デジタルミキサ１０の全体的な設定を行うための操作子を集めた部分である。
【００５８】
シーン制御部１４６は、シーンの選択を行うためのアップダウンキー，選択したシーンのストア（保存）やリコール（読み出し）を指示するためのストアキーやリコールキーといった操作子を集めた部分である。ミキサシステム１においては、各デジタルミキサ毎に、そのデジタルミキサにおける信号処理に使用するパラメータの値のセットをシーンとして番号を付して保存するようにしており、ユーザの操作により、随時ストアやリコールを行うことができる。そして、ユーザの操作があった場合に、これらのストアやリコールを機器選択スイッチ１４４により選択されているミキサについて行うモードと、ミキサシステム１を構成する全てのデジタルミキサについて同時に行うモードとを設けている。
【００５９】
ＳＴ（ステレオ）入力ｃｈストリップ部１４７には、図２では図示を省略した、ステレオの音響信号を入力するためのＳＴ入力ｃｈにおける信号処理に用いるパラメータの値を編集するためのｃｈストリップを２ｃｈ分設けている。また、デジタルミキサ１０にはＳＴ入力ｃｈを４ｃｈ設けており、入力ｃｈストリップ部１１０等の場合と同様、レイヤ（ＳＴ入力レイヤ）により、各ｃｈストリップに、そのｃｈストリップの操作子により編集するＳＴ入力ｃｈを割り当てることができる。
【００６０】
ただし、レイヤの選択を、専用のレイヤ選択操作子ではなく、表示パネル１４３に表示させるＧＵＩ上で行う点と、各レイヤにおいて、ｃｈストリップに割り当てるｃｈ番号だけでなく、編集対象機器も指定している点が、入力ｃｈストリップ部１１０の場合と異なる。ＳＴ入力ｃｈストリップ部１４７に関して用意してあるレイヤは、２つのｃｈストリップに、デジタルミキサ＃１の１，２番目のＳＴ入力ｃｈを割り当てるレイヤと、デジタルミキサ＃１の３，４番目のＳＴ入力ｃｈを割り当てるレイヤと、デジタルミキサ＃２の１，２番目のＳＴ入力ｃｈを割り当てるレイヤと、デジタルミキサ＃２の３，４番目のＳＴ入力ｃｈを割り当てるレイヤと、デジタルミキサ＃３の１，２番目のＳＴ入力ｃｈを割り当てるレイヤと、デジタルミキサ＃３の３，４番目のＳＴ入力ｃｈを割り当てるレイヤとの、６つのレイヤである。
【００６１】
また、マスタストリップ部１４９には、図２では図示を省略した、ＳＴミキシングバスと対応するＳＴ出力ｃｈにおける信号処理に用いるパラメータの値を編集するためのｃｈストリップを２ｃｈ分設けている。ＳＴ出力ｃｈの数は、２ｃｈであり、マスタストリップ部１４９のｃｈストリップ数と同じであるので、レイヤによる割り当ては行う必要がない。ただし、ｃｈストリップによりどのミキサのパラメータを編集するかは、機器選択スイッチ１４４の操作に従って定められる。また、ＳＴ出力ｃｈには、ＬＲに加えてＣの出力ｃｈもあるため、各ｃｈストリップにつき、対応するＳＴ出力ｃｈのうち、ＬＲとＣのどちらのパラメータを編集するかも、別途選択することができる。
ミキサシステム１及びデジタルミキサ１０において特徴的な点の１つは、以上のような操作パネル１００に設けた操作子のうち、多用途ｃｈストリップ部１３０の機能及び、レイヤ選択スイッチ１３１により選択できる多用途レイヤの内容である。
【００６２】
図７に、この多用途レイヤの内容を設定するためのレイヤ設定画面の表示例を示す。
このレイヤ設定画面２００は、ＧＵＩであり、操作パネル１００上の所定の画面選択スイッチの操作に応じ表示パネル１４３に表示させる複数の画面のうちの１つである。そして、表示パネル１４３に表示されるそれら複数の画面では、それぞれ画面に応じたパラメータの値等を表示するが、以下に説明する各表示部２０１〜２０３，２５１〜２５６の表示については、画面間で共通のものとしている。
【００６３】
そして、レイヤ設定画面２００において、画面表示部２０１は、デジタルミキサ１０が有する階層的なＧＵＩのうち、この画面の位置づけを表示する部分である。図の例は、この画面が、「UTILITY」カテゴリの「FADER ASSIGN」という名前の画面であることを示している。
また、接続機器表示部２０２には、現在デジタルミキサ１０にカスケード接続されてミキサシステム１を構成している機器を表示する部分である。図の例は、＃１〜＃３の３台の機器がミキサシステム１を構成していることを示している。なお、どの機器にどの番号を割り当てるかは、ユーザが選択できるようにしても、自動で決定するようにしてもよい。ただし、ミキサシステム１全体を制御できる操作パネルを有するデジタルミキサを＃１（第１番目）とすることが望ましい。
【００６４】
操作対象機器表示部２０３は、機器選択スイッチ１４４により選択されている編集対象機器を表示する部分である。図の例は、デジタルミキサ＃１が選択されていることを示している。なお、この編集対象機器は、表示パネル１４３に表示される各種画面（もちろんレイヤ設定画面２００も含む）の背景色としても表示し、ユーザに視認できるようにしている。例えば、編集対象機器がデジタルミキサ＃１であれば背景色を青系のグレーにし、＃２であれば緑系のグレー、＃３であれば赤系のグレーにすることが考えられる。
シーン表示部２０４は、機器選択スイッチ１４４により選択されている編集対象機器において、現在編集中のシーンの番号及び名称を表示する部分である。図の例は、００２番の、「Initial Data」という名称のシーンを編集中であることを示している。
【００６５】
レイヤ表示部２１０は、操作パネル１００上のレイヤ選択スイッチ１３１と対応するボタンを表示する部分であり、また、レイヤ選択スイッチ１３１によりどの多用途レイヤが選択されているかの表示も行う。図の例は、ハッチングを付したボタンと対応する多用途レイヤＡが選択されていることを示している。なお、レイヤ表示部２１０は、隣接する割り当て内容表示部２２０において、各行（図で横方向のセルの並び）の内容がどのレイヤに関する設定内容であるかを示す行見出しとしても機能している。また、選択されているレイヤの表示を、色，模様，濃度，枠囲い等の任意の方法で行ってよいことは、もちろんである。
【００６６】
割り当て内容表示部２２０は、各レイヤ選択スイッチ１３１と対応する多用途レイヤの内容を表示すると共に、その編集操作を受け付ける部分である。そして、項目表示部２２１が、多用途レイヤ中で設定可能な項目を示す列見出しであり、内容表示部２２２が、レイヤの設定内容を表示する部分である。列は、図で縦方向のセルの並びである。
【００６７】
多用途レイヤ中で設定可能な項目には、まず、多用途ｃｈストリップ部１３０の８ｃｈ分のｃｈストリップへのｃｈ等の割り当ての指定がある。これは、項目表示部２２１に「１」〜「８」で示す列に設定する内容であり、割り当て可能なものには、例えば、図２に示した入力ｃｈ４３及び出力ｃｈ６３，それ以外のｃｈであるＳＴ入力ｃｈ，ＳＴ出力ｃｈ及びモニタ出力ｃｈが挙げられる。さらには、ｃｈ以外にも、複数のフェーダをグループ化して信号レベルを調整するための８つのＤＣＡグループのように、直接対応する信号処理要素がないような設定項目を割り当てることもできる。また、これ以外にも、デジタルミキサ１０においてレベル調整が可能なあらゆる信号処理要素を割り当てることができる。
【００６８】
なお、以下の説明においては、説明を簡単にするため、特に断らない限り、ｃｈストリップに割り当てる要素はｃｈであるとして説明するが、他の要素を割り当てる場合でも、以下の説明は同様に当てはまるものである。
また、多用途レイヤによるｃｈの割り当ては、ｃｈ番号だけでなく、ミキサシステム１を構成する機器の機器番号も指定して行うことができる。すなわち、多用途ｃｈストリップ部１３０のｃｈストリップには、ミキサシステム１を構成する機器が有する、任意の機器の任意のｃｈを割り当てることができる。そして、この割り当ては、機器選択スイッチ１４４の操作によって変更されることはない。
【００６９】
図７においては、「１」〜「８」で示す列には、ｃｈの割り当て内容を２段で表記しており、上段のうち、「＃１」〜「＃３」が、ｃｈストリップに割り当てるｃｈを含む機器を、その右側の文字列がｃｈストリップに割り当てるｃｈの名称を示している。例えば、「＃１  ＣＨ１」であれば、デジタルミキサ＃１の１番目の入力ｃｈを割り当てることを示し、「＃２  ＭＩＸ５」であれば、デジタルミキサ＃２の５番目の出力ｃｈを割り当てることを示す。また、「ＳＴｘ」はｘ番目のＳＴ入力ｃｈを、「ＤＣＡｘ」はｘ番目のＤＣＡグループを示す。これらのｃｈの名称については、固定的に定められたものであり、ユーザは変更できない。
【００７０】
また、「１」〜「８」で示す列の下段に示すのは、レイヤに従ってｃｈを割り当てたｃｈストリップの表示器１６１において、割り当て内容の表示に用いる文字列である。この文字列は、ユーザが自由に設定することができ、例えば、割り当てたｃｈの名称や用途がわかるような内容とするとよい。文字数は、表示器のサイズの制約により、この例では４文字までとしている。
【００７１】
また、多用途レイヤの情報として、多用途レイヤの選択時に同時に指定する編集対象機器（Ｍ＿ＩＤ），入力ｃｈレイヤ（ＩＮ），出力ｃｈレイヤ（ＯＵＴ），およびＳＴ入力レイヤ（ＳＴＩＮ）も設定することができる。
デジタルミキサ１０においては、ユーザがレイヤ選択スイッチ１３１において多用途レイヤを選択した場合、割り当て内容表示部２２０に「１」〜「８」で示される内容に従ってｃｈを多用途ｃｈストリップ部１３０のｃｈストリップに割り当てる他、この割り当てと同時に、「Ｍ＿ＩＤ」，「ＩＮ」，「ＯＵＴ」で示す内容に従って、編集対象機器，入力ｃｈレイヤ及び出力ｃｈレイヤを選択することができる。
この選択は、機器選択スイッチ１４４や、レイヤ選択スイッチ１１１，１２１を操作して行う選択と同等のものである。
【００７２】
また、「ＳＴＩＮ」で示す内容に従って、ＳＴ入力レイヤを選択することができる。この選択は、表示パネル１４３に表示させるＧＵＩを操作して行う選択と同等のものである。
しかし、多用途レイヤの選択に応じて行われる編集対象機器や他のレイヤの選択は、多用途レイヤの選択後、機器選択スイッチ１４４やレイヤ選択スイッチ１１１，１２１等を操作することにより、多用途レイヤと関係なく変更可能である。
【００７３】
「Ｍ＿ＩＤ」，「ＩＮ」，「ＯＵＴ」，「ＳＴＩＮ」の項目に設定するのは、この機能により選択する機器又はレイヤの指定である。そして、「Ｍ＿ＩＤ」の列には、選択すべき機器名により設定内容を表示している。「ＩＮ」，「ＯＵＴ」，「ＳＴＩＮ」の列には、選択すべきレイヤで割り当てるｃｈの番号により設定内容を表示している。
【００７４】
また、以上の、項目表示部２２１に示される各項目については、何らかの具体的な割り当て内容だけでなく、「現状維持」を指定することも可能である。図では、この指定を行った箇所を、「―――」で示している。そして、デジタルミキサ１０は、多用途レイヤが選択されても、選択された多用途レイヤで「現状維持」が指定されている項目については、ｃｈストリップへのｃｈの割り当て内容や、操作対象機器及び入力ｃｈレイヤ等の状態について、多用途レイヤの選択前の内容を維持する。
【００７５】
さらに、「１」〜「８」については、ｃｈストリップにｃｈを割り当てない旨の指定を行うことも可能である。図では、この指定を行っている箇所を、「Ｎ／Ａ」で示している。そして、デジタルミキサ１０は、多用途レイヤが選択された場合、ｃｈを割り当てない旨の指定がなされているｃｈストリップには、どのｃｈも割り当てない。そして、ｃｈの割り当てがないｃｈストリップの操作子が操作された場合には、当然ながら、その操作に応じては何らかのパラメータの値を変化させることはない。
【００７６】
以上のような割り当て内容表示部２２０に表示する設定内容は全て、ＳＷ群１４５，１４８により編集可能である。なお、「ＤＣＡ」のボタンと対応するＤＣＡレイヤは、多用途ｃｈストリップ部１３０を、ＤＣＡグループのレベルを設定するための操作子として使用する場合に選択すべきレイヤである。このレイヤは、多用途レイヤの１つであるものの、他の多用途レイヤとは性格が異なるものである。そして、このレイヤは、８つのｃｈストリップにそれぞれ１番目から８番目のＤＣＡグループを割り当て、その他の項目は「現状維持」とする内容で固定としているため、内容表示部２２２には、このレイヤの内容を表示及び設定するためのセルは用意していない。
また、内容表示部２２２にも、レイヤ表示部２１０と同様、現在選択されているレイヤを示す表示を行っており、図の例は、ハッチングを付した行と対応する多用途レイヤＡが選択されていることを示している。
【００７７】
また、レイヤ設定画面２００のうち、フェーダ表示部２３１は、項目表示部２２１の「１」〜「８」の列と対応して設けられたものである。そして、多用途ｃｈストリップ部１３０の、各列と対応するｃｈストリップにつき、そのｃｈストリップに含まれるフェーダ操作子１６５におけるつまみの位置を表示する。この表示は、フェーダ操作子１６５の操作に応じて更新される。また、フェーダ表示部２３１の下側には、割り当てｃｈ表示部２３２を設け、対応するｃｈストリップに割り当てられたｃｈを示す情報を、内容表示部２２２において設定されている表示用の文字列を用いて表示している。
【００７８】
マスタ機能表示部２４０は、マスタストリップ部１４９の２つのｃｈストリップにより、各ＳＴ出力ｃｈについてＬＲとＣのどちらのパラメータを編集するかを表示する部分である。
また、選択ｃｈ表示部２５１は、ｃｈストリップに備える選択スイッチ等により選択されているｃｈの情報を表示する部分である。
【００７９】
ノブ＆フェーダ機能表示部２５２は、多用途ｃｈストリップ部１３０のｃｈストリップに備えるロータリーエンコーダ１６２及びフェーダ操作子１６５に割り当てられている機能を表示する部分である。図で上側が、ロータリーエンコーダ１６２の機能、下側が、フェーダ操作子１６５の機能を示す。図の例は、ロータリーエンコーダ１６２に、１番目のミキシングバス４４へにセンドレベル、フェーダ操作子１６５に、ｃｈフェーダが割り当てられていることを示している。
【００８０】
入力ｃｈレイヤ表示部２５３は、現在選択されている入力ｃｈレイヤを、入力ｃｈストリップ部１１０に割り当てる入力ｃｈの番号により表示する部分である。図の例は、３３〜４８番目の入力ｃｈを割り当てる入力ｃｈレイヤが選択されていることを示している。
出力ｃｈレイヤ表示部２５４は、現在選択されている出力ｃｈレイヤを、出力ｃｈストリップ部１２０に割り当てる出力ｃｈの番号により表示する部分である。図の例は、９〜１６番目の出力ｃｈを割り当てる出力ｃｈレイヤが選択されていることを示している。
多用途レイヤ表示部２５５は、現在選択されている多用途レイヤを表示する部分である。図の例は、多用途レイヤＡが選択されていることを示している。
【００８１】
ＳＴ入力レイヤ表示部２５６は、現在選択されているＳＴ入力レイヤを、ＳＴ入力ｃｈストリップ部１４７に割り当てる機器及びＳＴ入力ｃｈの番号により表示する部分である。図の例は、デジタルミキサ＃１の１，２番目のＳＴ入力ｃｈを割り当てるＳＴ入力レイヤが選択されていることを示している。
各レイヤ表示部２５３〜２５６の表示は、対応するレイヤが新たに選択された場合には変更する。多用途レイヤの選択に応じて入力ｃｈレイヤ等の選択が行われた場合にも、この変更は行う。
【００８２】
ミキサシステム１のユーザは、以上のようなレイヤ設定画面２００により、種々の設定内容を参照しながら、多用途レイヤの内容を設定することができる。その設定内容であるレイヤ情報は、カレントデータの一部としてカレントメモリに記憶され、シーンが保存される際には、シーンの一部として保存される。
【００８３】
また、レイヤ情報は、操作パネル１００を有するデジタルミキサ＃１のカレントメモリにのみ記憶されていれば足りる。しかしここでは、他のデジタルミキサでも、デジタルミキサ＃１とカスケード接続せずに単独で信号処理を実行できるようにしている。そしてこのため、ミキサシステム１を構成する全てのデジタルミキサ＃１〜＃３に、同じ形式のカレントメモリを設けて。従って、レイヤ情報も全てのデジタルミキサ＃１〜＃３に記憶させるようにしている。従って、ミキサ毎に異なるシーンをリコールした場合には、ミキサ間でレイヤ情報が相違することも考えられる。
しかし、例えば、ミキサシステム１を動作させる場合に、操作パネル１００を有するミキサをマスタ装置に指定し、各ミキサが記憶するレイヤ情報を、常にそのマスタ装置が記憶するレイヤ情報に合わせることにより、相違による不具合が起こらないようにすることができる。
【００８４】
ところで、ミキサシステム１及びデジタルミキサ１０において特徴的な点の別の１つは、図２乃至図４を用いて説明したカスケードリンク機能及び、そのカスケードリンクを行う場合に、同系統のカスケードバス５２から音響信号が供給される出力ｃｈ間でパラメータをリンクさせる出力ｃｈリンク機能である。
【００８５】
図８に、このカスケードリンク及び出力ｃｈリンクに関する設定を受け付けるためのカスケードリンク設定画面の表示例を示す。
この図に示すカスケードリンク設定画面３００は、表示パネル１４３に表示させるＧＵＩである。ただし、図には、表示パネル１４３に表示される画面のうち、図７に示した表示部２０１〜２０３及び２５１〜２５６に相当する表示に挟まれた部分の表示内容のみを示している。
【００８６】
このカスケードリンク設定画面３００は、カスケード系統表示部３１０，出力ｃｈリンク設定ボタン３２０，バス設定部３３０，カスケードリンク設定ボタン３４０，機器選択ボタン３５０を備えている。
そして、カスケード系統表示部３１０は、図２に示したカスケードバス５１，５２の系統を示しており、カスケードリンク設定画面３００では、その系統毎に、出力ｃｈリンク設定ボタン３２０，バス設定部３３０，カスケードリンク設定ボタン３４０による設定を受け付ける。
【００８７】
このうち、バス設定部３３０は、各系統のカスケードバス５１，５２につき、そのバスに出力音響信号を加算させるミキシングバス４４を設定する部分である。１つの系統には、１つのミキシングバス４４しか設定できないし、１つのミキシングバス４４は、１つの系統にしか設定できない。従って、系統とミキシングバス４４とは、基本的には１対１対応となる。また、この設定は、カスケードバス５１，５２の各系統に対して出力元のミキシングバス４４を設定すると考ることも、各ミキシングバス４４に対して出力先のカスケードバス５１，５２の系統を設定すると考えることもできる。
【００８８】
なお、必ずしも全ての系統についてミキシングバス４４を設定する必要はない（図のMX11とMX12の系統を参照）。そして、どの系統にも設定されていないミキシングバス４４でミキシングした音響信号は、カスケードバス５１には加算せず、そのまま対応する出力ｃｈ６３に供給することになる。
【００８９】
カスケードリンク設定ボタン３４０は、バス設定部３３０に設定したミキシングバス４４と対応するカスケードＯＮスイッチ４６のオンオフ、すなわち、ミキシングバス４４からカスケードバス５１への音響信号の加算を行うか否かを設定するためのボタンである。ミキシングバス４４が設定されていない系統については、カスケードリンクは常にオフとする。
【００９０】
なお、バス設定部３３０及びカスケードリンク設定ボタン３４０による設定は、ミキサ毎に行うことができる。機器選択ボタン３５０が、設定を行うミキサを選択するためのボタンであり、このボタンが操作された場合、バス設定部３３０及びカスケードリンク設定ボタン３４０の表示は、新たに選択されたミキサにおける設定内容を示すものに更新される。図の例は、ハッチングを付したボタンにより選択したデジタルミキサ＃２に関するパラメータの設定を行っていることを示している。
【００９１】
また、出力ｃｈリンク設定ボタン３２０は、各系統のカスケードバス５２につき、ミキサシステム１内でそのカスケードバス５２から音響信号が供給される出力ｃｈ６３同士のパラメータの値を互いに同一の値に保つ（リンクさせる）出力ｃｈリンクを行うか否かを設定するためのボタンである。なお、出力ｃｈリンクのオンオフは、全てのミキサについて共通の設定であり、機器選択ボタン３５０によりミキサの選択が変更されても、出力ｃｈリンク設定ボタン３２０の表示は変化しない。
【００９２】
ミキサシステム１においては、このように、同じカスケードバス５２から音響信号が供給されるという基準でパラメータの値をリンクさせる出力ｃｈを設定することができるようにしているため、１つのカスケードバス５２から、同じ音響信号が、ミキサによって異なる番号の出力ｃｈに供給される場合でも、それらの出力ｃｈのパラメータを簡単な操作でリンクさせることができる。そして、このようなリンクを行うと、同じ音響信号が供給される出力ｃｈ６３が、同じパラメータの値を用いて信号処理を行うため、これらの出力ｃｈ６３から、全く同じ出力音響信号を得ることができる。
【００９３】
ミキサシステム１においては、ミキサ毎に、異なる番号のミキシングバス４４が出力した音響信号を１系統のカスケードバス５１で加算することができるようにし、カスケードリンクの自由度を高めている。しかし一方で、加算結果も、ミキサ毎に異なる番号の出力ｃｈに供給される場合があり、これらの出力ｃｈ間の対応関係が若干分かりづらい。
しかし、上記のように、同じカスケードバス５２から音響信号が供給される出力ｃｈの範囲という基準でパラメータの値をリンクさせる出力ｃｈを設定することができるようにしているため、１系統のカスケードバス５２が出力する音響信号がミキサ毎に異なる番号の出力ｃｈに供給される場合でも、同じ音響信号が供給される出力ｃｈ間のリンクを容易かつ適切に設定することができる。
【００９４】
なお、以上の趣旨から、出力ｃｈリンクがオンの系統を設定したミキシングバス４４と対応する出力ｃｈ６３であっても、カスケードリンクがオフに設定されているミキシングバス４４と対応する出力ｃｈ６３については、パラメータの値のリンクを行わない。このような出力ｃｈ６３には、カスケードバス５２からの音響信号は供給されないため、リンクさせる意味がないからである。
【００９５】
また、図８に示したのは、モノラルの２４本のミキシングバス４４でミキシングした音響信号に関するカスケードリンクや出力ｃｈリンクの設定を受け付けるための画面である。ＳＴバスやＡＵＸバス等の、他のバスについてもカスケードリンクや出力ｃｈリンクを行えるようにする場合には、これらのバスに関する設定を受け付けるための画面を用意し、バスの種類毎に、同じように設定を受け、ここで受け付けた設定内容に従って、カスケードリンクや出力ｃｈリンクを実現するための処理を行えばよい。
【００９６】
ここで、図９に、カスケードリンク設定画面３００で設定するデータの例を示す。
この図に示すように、カスケードリンク及び出力ｃｈリンクに関する設定内容としては、まず、カスケードバス５１，５２の各系統のＩＤ（LINE ID）に関しての、全ミキサに共通の設定である出力ｃｈリンクオンオフ（OUTPUT CH LINK）がある。また、ミキサ毎の設定として、その系統のカスケードバス５１に音響信号を供給するミキシングバス４４（BUS）のＩＤと、実際にカスケードバス５１への音響信号の供給を行うか否か（CASCADE LINK）の設定がある。
これらのデータは、各デジタルミキサに共通のデータとしてカレントメモリに記憶させるが、シーンのストアやリコールの際に、シーンに含めて読み書きするのではなく、シーンとは別にストアやリコールができるようにしている。
【００９７】
また、例えば図９に示したデータがカレントメモリに記憶されている場合、ＭＸ１系統のカスケードバスに関する出力ｃｈリンクとしては、デジタルミキサ＃１の５番目の出力ｃｈと、デジタルミキサ＃２の３番目の出力ｃｈと、デジタルミキサ＃３の１番目の出力ｃｈとをリンクさせることになる。この場合、これらのうち１つの出力ｃｈのパラメータの値が変更されると、他の２つの出力ｃｈのパラメータについても、自動的に同じ変更を行う。
【００９８】
また、ＭＸ２系統のカスケードバスに関する出力ｃｈリンクとしては、デジタルミキサ＃２ではカスケードリンクがオフになっているため、デジタルミキサ＃１の４番目の出力ｃｈと、デジタルミキサ＃３の２番目の出力ｃｈのみをリンクさせる。ＭＸ３系統のカスケードバスについては、出力ｃｈリンクがオフになっているため、どの出力ｃｈについてもリンクは行わない。
【００９９】
また、出力ｃｈリンクを新たに開始する場合には、リンクする出力ｃｈのうちいずれかのｃｈのパラメータを、リンク対象とする出力ｃｈにコピーしてからリンクを開始すればよい。例えば、最も番号の若いデジタルミキサの出力ｃｈのパラメータをコピーすることが考えられる。既に実行中のリンクに新たにリンク対象の出力ｃｈを追加する場合には、リンク実行中のいずれかの出力ｃｈのパラメータを、新たに追加する出力ｃｈにコピーすればよい。
【０１００】
ところで、ここまでの説明から明らかなように、ミキサシステム１においては、ユーザは、デジタルミキサ＃１の操作パネル１００を操作することにより、ミキサシステム１を構成する全てのデジタルミキサについて、そのデジタルミキサが信号処理に使用するパラメータの値を設定したり、シーンのストアやリコールを行わせたりすることができる。すなわち、ユーザは、デジタルミキサ＃１を用いて、他のデジタルミキサ＃２，＃３をリモート制御することができる。
【０１０１】
次に、このリモート制御を実現するための構成及び各デジタルミキサの動作について説明する。
図１０は、このリモート制御機能について説明するための図である。
この図に示すように、ミキサシステム１において、デジタルミキサ＃１には、まず、デジタルミキサ＃１が信号処理に用いるパラメータの値を記憶するカレントメモリ８１（８１Ａ）を設け、その内容を、フラッシュメモリ１２に設けたシーンメモリ８２にストアしたり、シーンメモリ８２にストアしたシーンの内容をカレントメモリ８１Ａにリコールしたりすることができる。
【０１０２】
また、カレントメモリ８１Ａの内容が変更された場合、デジタルミキサ＃１はその内容を直ちに信号処理制御部８３に供給し、信号処理制御部８３が、変更後のパラメータの値に基づいてＤＳＰ１６に設定すべき係数を求め、その係数を、ＤＳＰ１６の適当なレジスタに設定して、信号処理の内容に反映させる。従って、カレントメモリ８１Ａの内容は、リアルタイムでＤＳＰ１６における信号処理に反映される。
【０１０３】
図１１に、カレントメモリ８１Ａの内容が変化した場合にＣＰＵ１１が実行する処理のフローチャートを示す。
ＣＰＵ１１は、カレントメモリ８１Ａの内容が変化した場合にこのステップＳ１１，Ｓ１２の処理を実行することにより、信号処理制御部８３として機能する。
ここで、カレントメモリ８１Ａの内容をそのままＤＳＰ１６に設定しないのは、ＤＣＡグループのレベルのように、他のパラメータの値に影響を与えるようなパラメータが存在するためである。
【０１０４】
ミキサシステム１においては、各デジタルミキサが、以上のようなカレントメモリ８１，シーンメモリ８２及び信号処理制御部８３を有し、単体で、シーンのストアやリコールを行うと共に、カレントメモリ８１の内容をＤＳＰ１６における信号処理に反映させることができる。
また、デジタルミキサ＃１においては、操作パネル１００からの操作により、カレントメモリ８１の内容を変更したり、カレントメモリの８１の内容を操作パネル１００に表示させたりする機能を設けている。そして、自機のカレントメモリについては、このような動作を十分速やかに行うことができる。
【０１０５】
しかしながら、デジタルミキサ＃１から他のデジタルミキサ＃２，＃３のカレントメモリにアクセスする際には、データの伝送遅延が発生してしまう。そしてこのため、操作パネル１００の操作に応じたデジタルミキサ＃２，＃３のカレントメモリ８１の変更内容を、十分速やかに表示に反映させることが難しい。
【０１０６】
そこで、デジタルミキサ＃１にも、デジタルミキサ＃２，＃３が信号処理に用いるパラメータの値を記憶するカレントメモリ８１Ｂ′，８１Ｃ′を設け、操作パネル１００の操作に応じたカレントメモリの内容変更は、一旦カレントメモリ８１Ｂ′，８１Ｃ′に対して行うようにした。そして、操作パネル１００の表示も、カレントメモリ８１Ｂ′，８１Ｃ′の内容に基づいて行うようにした。
【０１０７】
このような、デジタルミキサ＃１によるカレントメモリ８１Ｂ′，８１Ｃ′へのアクセスは、カレントメモリ８１Ａへのアクセスの場合と単にメモリアドレスが異なるのみであるので、共通のプログラムを用いて行うことができる。従って、ユーザから見た操作感も、カレントメモリ８１Ａの内容を編集する場合と、カレントメモリ８１Ｂ′，８１Ｃ′の内容を編集する場合とで、同じものが得られる。
【０１０８】
一方、カレントメモリ８１Ｂ′，８１Ｃ′に対してなされた変更は、デジタルミキサ＃１側のカレント同期処理部８５と、デジタルミキサ＃２，＃３側のカレント同期処理部８６とにより、速やかにデジタルミキサ＃２，＃３に設けたカレントメモリ８１Ｂ，８１Ｃに反映させ、カレントメモリ８１Ｂ′，８１Ｃ′の内容と、カレントメモリ８１Ｂ，８１Ｃの内容とを一致させ、これらのメモリ間で記憶内容の同期を取るようにしている。そして、これに応じて、カレントメモリ８１Ｂ′，８１Ｃ′に対してなされた変更が、デジタルミキサ＃２，＃３における信号処理にも反映される。この反映には、伝送遅延分の遅れが生じることになるが、操作のリアルタイム性という観点では、表示の遅れほどには気にならないものである。
【０１０９】
図１２に、カレントメモリ８１Ｂ′又は８１Ｃ′の内容が変化した場合にデジタルミキサ＃１及びデジタルミキサ＃２又は＃３のＣＰＵ１１が実行する処理のフローチャートを示す。
デジタルミキサ＃１のＣＰＵ１１は、カレントメモリ８１Ｂ′又８１Ｃ′の内容が変化した場合に、図１２の左側のフローチャートに示す処理を開始し、パラメータの変化内容を、変化のあったカレントメモリと対応するデジタルミキサと対応するデジタルミキサに通知する（Ｓ２１）。
【０１１０】
そして、この通知を受けたデジタルミキサ＃２又は＃３のＣＰＵ１１は、図１２の右側のフローチャートに示す処理を開始し、通知された変化を自機のカレントメモリに反映させて（Ｓ３１）、通知元にレスポンスを送信する（Ｓ３２）。そして、図１１の処理の場合と同様、変化後のパラメータの値に応じた信号処理係数を求めて、ＤＳＰ１６に設定し（Ｓ３３，Ｓ３４）、処理を終了する。
【０１１１】
一方、デジタルミキサ＃１側では、ステップＳ２１での通知先からレスポンスを受信するまで待機し（Ｓ２２）、その後、受信したレスポンスがエラーレスポンスでなければ（Ｓ２３）、処理を終了する。エラーレスポンスであった場合には、エラー処理を行って（Ｓ２４）処理を終了する。
デジタルミキサ＃１のＣＰＵ１１は、以上の処理によりカレント同期処理部８５として機能する。また、デジタルミキサ＃２及び＃３のＣＰＵ１１は、以上の処理によりカレント同期処理部８６及び信号処理制御部８３として機能する。
【０１１２】
次に、シーンのストア／リコールに関する処理について説明する。
例えば、デジタルミキサ＃２でシーンをストアする場合には、単にデジタルミキサ＃２側のカレントメモリ８１Ｂの内容をデジタルミキサ＃２のシーンメモリ８２にストアすればよい。従って、デジタルミキサ＃１側のカレントメモリ８１Ｂ′の内容に手を加える必要はない。
しかし、デジタルミキサ＃２でシーンをリコールする場合には、デジタルミキサ＃１側のカレントメモリ８１Ｂ′にも、リコールするシーンの内容をコピーする必要がある。そしてこの場合、リコールが指示された後でデジタルミキサ＃２からデジタルミキサ＃１へシーンのデータを転送するのでは、転送に時間がかかってしまう。
【０１１３】
そこで、デジタルミキサ＃１は、アップダウンボタン等により選択されたリコール候補のシーンを操作パネル１００に表示する際に、その情報をデジタルミキサ＃２に送信し、デジタルミキサ＃２のシーンメモリ８２からその表示したシーンのデータを読み出させてデジタルミキサ＃１に転送させ、シーンバッファ８４に格納することを行っている。そして、実際にリコール指示があった時点で、シーンバッファ８４からカレントメモリ８１Ｂ′にデータをコピーすれば、シーンのリコールを速やかに行うことができる。デジタルミキサ＃２側のリコールは、リコール指示をデジタルミキサ＃２に送信し、その指示に応じて行わせればよい。また、シーンバッファ８４は、ＲＡＭ１３に設けることができる。
ミキサシステム１においては、各デジタルミキサに以上のような機能を設けたことにより、デジタルミキサ＃１に備える操作パネル１００を用いて、他のデジタルミキサ＃２，＃３の動作を快適にリモート制御することができる。
【０１１４】
次に、以上説明してきた操作対象機器の選択、レイヤ選択、多用途レイヤの選択、レイヤを利用したパラメータの編集、出力ｃｈリンク等の機能を実現するためにＣＰＵ１１が実行する処理について説明する。
表１に、以下に説明する処理で用いるレジスタ及びパラメータのうち、主要なもののリストを記載した。この表に示したレジスタ及びパラメータは、カレントメモリに記憶させるものであり、「機器毎独立」が「○」のものは、デジタルミキサ＃１〜＃３のそれぞれに関する値を、各機器のカレントメモリに別々に値を記憶させ、別々に参照する。「×」のものは、デジタルミキサ＃１〜＃３について共通の値をデジタルミキサ＃１のカレントメモリに記憶させ、これを参照するが、カレントメモリの形式を共通にするため、デジタルミキサ＃２，＃３のカレントメモリにも、デジタルミキサ＃１と同じ値を記憶させる。
【０１１５】
【表１】
2008227763.tif 000003
【０１１６】
まず、図１３に、機器選択スイッチ１４４の操作があった場合にデジタルミキサ＃１のＣＰＵ１１が実行する処理のフローチャートを示す。
デジタルミキサ＃１のＣＰＵ１１は、操作パネル１００において機器選択スイッチ１４４の操作があると、図１３のフローチャートに示す処理を開始する。そしてまず、対象機器レジスタＴＭに、操作されたスイッチと対応する操作対象機器の番号を設定する（Ｓ４１）。その後、新たに設定したＴＭの値と、各ストリップ部において現在選択されているレイヤを示すレジスタの値とに基づき、入力ｃｈストリップ部１１０，出力ｃｈストリップ部１２０，マスタストリップ部１４９における表示及び操作子の位置と、表示パネル１４３における表示とを、ＴＭ番目の機器に関する内容に変更して（Ｓ４２）、処理を終了する。
【０１１７】
ｃｈストリップには、小型の表示器や、ＬＥＤ等により、割り当てられたｃｈ及び操作対象機器の情報や、パラメータの値を表示するものがあり、ステップＳ４２で変更するのは、これらの表示器の表示である。また、ステップＳ４２で位置を変更する操作子は、例えば電動フェーダ１０２のように、駆動手段を有し、つまみの位置をパラメータの値に合わせるべきものである。他のフローチャートに示す処理についても、ｃｈストリップ部における表示や操作子の位置の変更は、同様な意味合いのものである。
以上の図１３の処理により、機器選択スイッチ１４４の操作に応じて操作対象機器を切り換えることができ、この処理において、ＣＰＵ１１はミキサ選択手段として機能する。
【０１１８】
次に、図１４に、入力ｃｈレイヤを選択するレイヤ選択スイッチ１１１の操作があった場合にデジタルミキサ＃１のＣＰＵ１１が実行する処理のフローチャートを示す。
デジタルミキサ＃１のＣＰＵ１１は、レイヤ選択スイッチ１１１の操作があると、図１４のフローチャートに示す処理を開始する。そしてまず、入力ｃｈレイヤレジスタＩＬに、操作されたスイッチと対応する入力ｃｈレイヤの番号を設定する（Ｓ５１）。
【０１１９】
その後、新たに設定したＩＬの値に基づき、入力ｃｈストリップ部１１０における表示及び操作子の位置と、表示パネル１４３における表示とを、新たに選択されたレイヤに関する内容に変更して（Ｓ５２）、処理を終了する。
以上の処理により、レイヤ選択スイッチ１１１の操作に応じて第１のレイヤである入力ｃｈレイヤを切り換えることができ、この処理において、ＣＰＵ１１は第１のレイヤ選択手段として機能する。
【０１２０】
次に、図１５に、入力ｃｈストリップ部１１０のフェーダの操作があった場合にデジタルミキサ＃１のＣＰＵ１１が実行する処理のフローチャートを示す。
デジタルミキサ＃１のＣＰＵ１１は、入力ｃｈストリップ部１１０においていずれかのｃｈストリップのフェーダ（又はフェーダパラメータが割り当てられた操作子）が操作されると、図１５のフローチャートに示す処理を開始する。
【０１２１】
そしてまず、現在選択されているＩＬ番目の入力ｃｈレイヤのレイヤ情報を参照し、そのレイヤにおいて、操作されたフェーダを含むｃｈストリップに割り当てられている入力ｃｈの番号を、変数ｉｃに設定する（Ｓ６１）。
その後、ＴＭ番目の機器用のカレントメモリにおける、ｉｃ番目の入力ｃｈのフェーダレベルＩＦＬ（ｉｃ）を、操作後のフェーダの位置をデシベルに換算した値Ｆｖｏｌに変更する（Ｓ６２）。また、これに応じ、入力ｃｈストリップ部１１０及び表示パネル１４３における表示を、変更後のカレントメモリの内容に応じたものに変更する（Ｓ６３）。
【０１２２】
さらに、多用途ｃｈストリップ部１３０に、ＴＭ番目の機器のｉｃ番目の入力ｃｈが割り当てられているｃｈストリップがある場合（Ｓ６４）、このｃｈストリップにおいても、ステップＳ６２で変更したフェーダレベルが表示されていることが考えられるため、該当ｃｈストリップにおけるフェーダ操作子の位置を、変更後のカレントメモリの内容に応じたものに変更して（Ｓ６５）、処理を終了する。ステップＳ６４でＮＯであれば、そのまま処理を終了する。
【０１２３】
以上の処理により、入力ｃｈストリップ部１１０のフェーダの操作に従い、選択されている入力ｃｈレイヤによりそのフェーダを含むｃｈストリップに割り当てられる入力ｃｈのパラメータを編集することができる。フェーダ以外の操作子が操作された場合にも同様な編集が可能であることは、もちろんである。そして、この処理においては、ＣＰＵ１１がパラメータ編集手段として機能する。
なお、多用途ｃｈストリップ部１３０において、フェーダ操作子１６５にｃｈフェーダ以外のパラメータが割り当てられており、操作子の位置や表示器等により、フェーダレベルの値の表示を行っていない場合には、ステップＳ６４，Ｓ６５の処理は行わなくてよい。以降のフローチャートに示す処理においても、同様なことが言える。
【０１２４】
ところで、図１５のステップＳ６２の処理を行うと、その結果、カレントメモリの内容が変化するため、既に述べたように、ＣＰＵ１１は、これをトリガに図１１又は図１２の処理を実行し、変化後のカレントメモリの内容をＤＳＰ１６における信号処理に反映させる。
【０１２５】
ここで、図１６に、図１１のステップＳ１１，Ｓ１２及び図１２のステップＳ３３，Ｓ３４に示した処理の具体例として、入力ｃｈのフェーダレベルの変化をＤＳＰ１６における信号処理に反映させる処理のフローチャートを示す。
この処理は、パラメータの値を変更されたＴＭ番目のデジタルミキサのＣＰＵ１１が実行するものである。このＣＰＵ１１は、自機のカレントメモリにおいて入力ｃｈのフェーダレベルＩＦＬ（ｉｃ）が変化したことを検出すると、図１６のフローチャートに示す処理を開始する。
【０１２６】
そして、まずＩＦＬ（ｉｃ）の値を音量レジスタｖｏｌに格納する（Ｓ７１）と共に、カウンタｄに１を設定する（Ｓ７２）。その後、ｉｃ番目の入力ｃｈがｄ番目のＤＣＡグループに属する場合に、ｖｏｌに、そのｄ番目のＤＣＡグループのフェーダレベルＤＬ（ｄ）を加算する処理を、ｄを１ずつ増加させながら、ｄ＝１から８まで繰り返す（Ｓ７３〜Ｓ７６）。
【０１２７】
なお、ＤＬ（ｄ）は、デシベル値であり、マイナスの値も有り得る。また、ＤＣＡグループは、ミキサ毎に定義されるものである。そして、ステップＳ７３〜Ｓ７６の処理により、ｖｏｌの値を、入力ｃｈのフェーダレベルに各ＤＣＡグループのフェーダレベルを加味した値とすることができる。
そこで、次に、ｖｏｌの値に応じた乗算係数を求め、ｉｃ番目の入力ｃｈの信号処理に用いる値としてＤＳＰ１６に設定し（Ｓ７７）、処理を終了する。
以上の処理により、ＣＰＵ１１は、変化後のカレントメモリの内容をＤＳＰ１６における信号処理に反映させることができる。
【０１２８】
次に、図１７に、出力ｃｈレイヤを選択するレイヤ選択スイッチ１２１の操作があった場合にデジタルミキサ＃１のＣＰＵ１１が実行する処理のフローチャートを示す。
デジタルミキサ＃１のＣＰＵ１１は、レイヤ選択スイッチ１２１の操作があると、図１７のフローチャートに示す処理を開始する。そしてまず、出力ｃｈレイヤレジスタＯＬに、操作されたスイッチと対応する出力ｃｈレイヤの番号を設定する（Ｓ８１）。
【０１２９】
その後、新たに設定したＯＬの値に基づき、出力ｃｈストリップ部１２０における表示及び操作子の位置と、表示パネル１４３における表示とを、新たに選択されたレイヤに関する内容に変更して（Ｓ８２）、処理を終了する。
以上の処理により、レイヤ選択スイッチ１２１の操作に応じて第１のレイヤである出力ｃｈレイヤを切り換えることができ、この処理においても、ＣＰＵ１１は第１のレイヤ選択手段として機能する。
【０１３０】
次に、図１８及び図１９に、出力ｃｈストリップ部１１０のフェーダの操作があった場合にデジタルミキサ＃１のＣＰＵ１１が実行する処理のフローチャートを示す。
デジタルミキサ＃１のＣＰＵ１１は、出力ｃｈストリップ部１２０においていずれかのｃｈストリップのフェーダ（又はフェーダパラメータが割り当てられた操作子）が操作されると、図１８のフローチャートに示す処理を開始する。
【０１３１】
そしてまず、現在選択されているＯＬ番目の出力ｃｈレイヤのレイヤ情報を参照し、そのレイヤにおいて、操作されたフェーダを含むｃｈストリップに割り当てられている入力ｃｈの番号を、変数ｏｃに設定する（Ｓ９１）。
その後、ＴＭ番目の機器用のカレントメモリにおける、ｏｃ番目の出力ｃｈのフェーダレベルＯＦＬ（ｏｃ）を、操作後のフェーダの位置をデシベルに換算した値Ｆｖｏｌに変更する（Ｓ９２）。また、これに応じ、出力ｃｈストリップ部１２０及び表示パネル１４３における表示を、変更後のカレントメモリの内容に応じたものに変更する（Ｓ９３）。
【０１３２】
さらに、多用途ｃｈストリップ部１３０に、ＴＭ番目の機器のｏｃ番目の出力ｃｈが割り当てられているｃｈストリップがある場合（Ｓ９４）、該当ｃｈストリップにおけるフェーダ操作子の位置を、変更後のカレントメモリの内容に応じたものに変更する（Ｓ９５）。
ここまでの処理は、入力ｃｈと出力ｃｈとの違いはあるが、図１５に示したものと同趣旨の処理である。そして、ステップＳ９６以下の処理が、出力ｃｈリンク機能を実現するための処理である。
【０１３３】
この部分の処理においては、まず、ＴＭ番目の機器のｏｃ番目の出力ｃｈと対応するミキシングバスに設定された系統のカスケードバスにおいて、図８に示した画面で設定される出力ｃｈリンクがＯＮであれば（Ｓ９６）、変数ＬＮに、その系統の番号を設定する（Ｓ９７）。また、その後、ＴＭ番目の機器のｏｃ番目の出力ｃｈと対応するミキシングバスについて、図８に示した画面で設定されるカスケードリンクがＯＮであれば（Ｓ９８）、ステップＳ９２でのＯＦＬ（ｏｃ）の値の変更を、リンク対象の他の出力ｃｈにも反映させるべく、図１９のステップＳ９９の処理に進む。
【０１３４】
一方、ステップＳ９６でＮＯであれば、出力ｃｈリンクを行わない設定がなされているため、そのまま処理を終了する。また、ステップＳ９８でＮＯであれば、今回フェーダレベルを変更した出力ｃｈには、カスケードリンクがされていない音響信号が入力していることがわかる。この場合も出力ｃｈリンクを行う必要がないため、そのまま処理を終了する。
【０１３５】
次に、図１９に示す部分の処理では、まず、変数ＴＭ′に、ミキサシステムを構成するデジタルミキサのうち、ＴＭが示す編集対象機器以外の機器のいずれか１つの番号を設定する（Ｓ９９）。後のステップＳ１０８で、編集対象機器以外の全ての機器の番号を順次ＴＭ′に設定することになるので、ここで設定するのは、どの機器の番号でもよい。例えば、候補の中で最も番号の小さいものとすればよい。
【０１３６】
そして、ＴＭ′番目の機器において、ステップＳ９７で設定したＬＮ番目の系統が設定されているミキシングバスがあり（Ｓ１００）、かつ、そのミキシングバスのカスケードリンクがＯＮである場合（Ｓ１０１）、変数ｏｃ′に、そのミキシングバスと対応する出力ｃｈの番号を設定する（Ｓ１０２）。
この場合、ＴＭ番目の機器のｏｃ番目の出力ｃｈと、ＴＭ′番目の機器のｏｃ′番目の出力ｃｈとは、同じカスケードバスから同じ音響信号が供給される関係にあることになる。そこで、図１８のステップＳ９２で行った変更をＴＭ′番目の機器のｏｃ′番目の出力ｃｈのフェーダレベルＯＦＬ（ｏｃ′）にも反映して、これらのｃｈにおけるパラメータの値を同一に保つべく、ＴＭ′番目の機器のカレントメモリにおいて、ＯＦＬ（ｏｃ′）の値をステップＳ９２と同じＦｖｏｌに変更する（Ｓ１０３）。
【０１３７】
その後、表示や操作子の位置について図１８のステップＳ９３乃至Ｓ９５と同趣旨の変更を行う（Ｓ１０４〜Ｓ１０６）。そして、まだＴＭ′の候補があれば、ＴＭ′に次の候補を設定し（Ｓ１０７，Ｓ１０８）、ステップＳ１００に戻って処理を繰り返す。ステップＳ１０７でＮＯであれば、そのまま処理を終了する。
また、ステップＳ１００又はＳ１０１でＮＯの場合には、ＴＭ′番目の機器においては、ＬＮ番目の系統のカスケードバスから出力ｃｈに音響信号が供給されることはないため、リンク対象の出力ｃｈもないことになる。そこで、直ちにステップＳ１０７に進み、まだＴＭ′の候補があれば、ＴＭ′に次の候補を設定する。
【０１３８】
以上の処理により、出力ｃｈストリップ部１２０のフェーダの操作に従い、選択されている出力ｃｈレイヤに応じた対応関係の出力ｃｈのパラメータを編集することができる。そして、このためのステップＳ９１，Ｓ９２の処理においては、ＣＰＵ１１がパラメータ編集手段として機能する。
【０１３９】
また、あるデジタルミキサにおいてある出力ｃｈのパラメータの値を変更した場合に、他のデジタルミキサの出力ｃｈであって、上記ある出力ｃｈと同じカスケードバスから音響信号が供給される出力ｃｈのパラメータの値にも、同じ変更を行い、これらの出力ｃｈで信号処理内容を規定するパラメータを互いに同一の値に保つことができる。すなわち、図８及び図９を用いて説明した出力ｃｈリンク機能を実現できる。そして、このためのステップＳ９６〜Ｓ１０３の処理においては、ＣＰＵ１１がパラメータリンク手段として機能する。
【０１４０】
なお、ステップＳ９２やＳ１０１の処理によりカレントメモリの内容が変化した場合、対応するデジタルミキサのＣＰＵ１１は、図１６と同趣旨の処理を行って、変化後の出力ｃｈのフェーダレベルにＤＣＡグループの設定内容を加味した値をＤＳＰ１６における信号処理に反映させるが、この処理の図示は省略する。
【０１４１】
次に、図２０，図２１に、多用途レイヤを選択するレイヤ選択スイッチ１３１の操作があった場合にデジタルミキサ＃１のＣＰＵ１１が実行する処理のフローチャートを示す。
デジタルミキサ＃１のＣＰＵ１１は、レイヤ選択スイッチ１３１の操作があると、図２０のフローチャートに示す処理を開始する。
【０１４２】
そしてまず、多用途レイヤレジスタｆｍに、操作されたスイッチと対応する多用途レイヤの番号を設定する（Ｓ１１１）。その後、図７に示したレイヤ設定画面２００で設定された多用途レイヤのレイヤ情報を参照し、ｆｍ番目の多用途レイヤにおいて、操作対象機器の指定が現状維持でなければ（Ｓ１１２）、対象機器レジスタＴＭに、ｆｍ番目の多用途レイヤにおいて指定されている操作対象機器の番号を設定して（Ｓ１１３）、その番号の操作対象機器を選択する。また、ステップＳ１１２で操作対象機器の指定が現状維持であれば、対象機器レジスタＴＭの値、すなわ操作対象機器の選択内容を、変更せずに維持する。
【０１４３】
どちらの場合も、次の処理に進む。そして、入力ｃｈレイヤ，出力ｃｈレイヤ，ＳＴ入力ｃｈレイヤのそれぞれの項目につき、ｆｍ番目の多用途レイヤにおいて現状維持が指定されていなければ、多用途レイヤでの指定内容に従って、入力ｃｈレイヤレジスタＩＬ，出力ｃｈレイヤレジスタＯＬ，ＳＴ入力ｃｈレイヤレジスタＳＩＬの値を設定し、各レイヤの選択を行う。また、現状維持が指定されていた場合には、その項目については、レイヤの選択を変更せずに維持する（Ｓ１１４〜Ｓ１１９）。
【０１４４】
その後、図２１のステップＳ１２１の処理に進み、変数ｉに１を設定する（Ｓ１２１）と共に、ｆｍ＝７か否か判断する（Ｓ１２２）。なお、ｆｍ＝７であるということは、レイヤ選択スイッチ１３１によりＤＣＡレイヤが選択されたことを意味する。
そして、ｆｍ＝７であれば、多用途ｃｈストリップ部１３０のｉ番目のフェーダによる操作対象機器を示すレジスタＴＭ（ｉ）に、現在設定されている操作対象機器を示すＴＭの値を設定すると共に、ｉ番目のフェーダに対する割り当てｃｈを示すレジスタＴＦ（ｉ）に、ｉ番目のＤＣＡグループのフェーダを示すＩＤ（識別情報）を設定する（Ｓ１２３）。
【０１４５】
一方、ｆｍ＝７でなければ、選択された多用途レイヤのレイヤ情報を参照し、ｆｍ番目の多用途レイヤにおいてｉ番目のフェーダに対するｃｈの割り当てが現状維持であるか否か判断する（Ｓ１２４）。そして、現状維持でなければ、多用途ｃｈストリップ部１３０のｉ番目のフェーダによる操作対象機器を示すレジスタＴＭ（ｉ）と、ｉ番目のフェーダに対する割り当てｃｈを示すレジスタＴＦ（ｉ）に、それぞれｆｍ番目の多用途レイヤにおいてｉ番目のフェーダ対して指定されている操作対象機器及び割り当てｃｈのＩＤを設定する（Ｓ１２５）。また、現状維持であれば、ｉ番目のフェーダにおける操作対象機器と割り当てｃｈの設定内容を変更せずに維持する。
【０１４６】
なお、ステップＳ１２３及びＳ１２５においてレジスタＴＦ（ｉ）に設定するＩＤとしては、多用途ｃｈストリップ部１３０のｃｈストリップに割り当て可能なｃｈやＤＣＡグループ等の要素を全て一意に識別可能なものを用いる。レイヤ情報にも、割り当てｃｈはこのＩＤにより記載しておくとよい。また、割り当てなしを示すＩＤも用意しておき、多用途レイヤでｃｈを割り当てない旨が設定されている場合には、割り当てなしのＩＤをＴＦ（ｉ）に設定する。また、このＴＦ（ｉ）の内容が割当情報である。
【０１４７】
そして、ステップＳ１２３及びＳ１２５の後は、ｉを１インクリメントし（Ｓ１２６）、ｉが８以下であれば（Ｓ１２７）、ステップＳ１２２に戻って処理を繰り返す。従って、ステップＳ１２１〜Ｓ１２７の処理により、多用途ｃｈストリップ部１３０の８つのｃｈストリップについてそれぞれ、選択された多用途レイヤのレイヤ情報に基づき操作対象機器及びｃｈの割り当てを設定することができる。
【０１４８】
その後、ステップＳ１２７でＮＯになると、ｆｍの値と、ここまでの処理で設定してきたレイヤ、操作対象機器及び割り当てｃｈの情報とに基づき、入力ｃｈストリップ部１１０，出力ｃｈストリップ部１２０，多用途ｃｈストリップ部１３０，ＳＴ入力ｃｈストリップ部１４７，マスタストリップ部１４９における表示及び操作子の位置と、表示パネル１４３における表示とを更新し（Ｓ１２８）、処理を終了する。
【０１４９】
以上の処理により、レイヤ選択スイッチ１３１の操作に応じて第２のレイヤである多用途レイヤを切り換えることができ、この処理において、ＣＰＵ１１は第２のレイヤ選択手段として機能する。また、ＣＰＵ１１は、操作対象機器の指定を行うステップＳ１１３においてはミキサ選択手段として機能し、他のｃｈストリップ部におけるレイヤの選択を行うステップＳ１１５，Ｓ１１７，Ｓ１１９においてはレイヤ選択手段として機能する。
【０１５０】
この場合において、レイヤ情報にて現状維持が指定されているｃｈストリップについては、多用途レイヤを切り換えた場合でも、切り替え前のｃｈの割り当てを維持することができる。また、レイヤ情報にてｃｈを割り当てない旨が指定されているｃｈストリップについては、いかなるｃｈも割り当てないことができる。従って、レイヤを用いたｃｈの割り当てに高い自由度を得ることができる。
【０１５１】
また、多用途ｃｈストリップ部１３０のｃｈストリップには、操作パネル１００を有するデジタルミキサ＃１が備えるｃｈだけでなく、ミキサシステム１を構成する任意の機器の任意のｃｈを割り当てることができる。従って、複数のミキサのパラメータを同時に編集する場合にも、高い操作性を得ることができる。
【０１５２】
さらに、ｃｈの割り当てと同時に、操作パネル１００による操作対象機器や、他のｃｈストリップ部へのｃｈの割り当てを示すレイヤの選択も行うことができる。もちろん、この選択についても現状維持が可能である。従って、多用途ｃｈストリップ部１３０に割り当てるｃｈと関連の深いｃｈを他のｃｈストリップ部に割り当てる場合等、複数のセクションの操作子に対して同時にｃｈの割り当てを行う場合に、高い操作性を得ることができる。
【０１５３】
次に、図２２及び図２３に、多用途ｃｈストリップ部１３０のフェーダの操作があった場合にデジタルミキサ＃１のＣＰＵ１１が実行する処理のフローチャートを示す。
デジタルミキサ＃１のＣＰＵ１１は、多用途ｃｈストリップ部１３０においていずれかのｃｈストリップのフェーダ（又はフェーダパラメータが割り当てられた操作子）が操作されると、図２２のフローチャートに示す処理を開始する。
【０１５４】
そしてまず、変数ｉに操作されたフェーダの番号を設定する（Ｓ１３１）。その後、ＴＦ（ｉ）が示す対象、すなわち操作されたフェーダにより操作する対象を判定し（Ｓ１３２）、その対象の種類に応じた処理を行う。
まず、対象が入力ｃｈであった場合、変数ｉｃに、ＴＦ（ｉ）が示す入力ｃｈの番号を設定する（Ｓ１３３）と共に、図１５のステップＳ６２乃至Ｓ６５に示した入力フェーダレベル設定処理を行い（Ｓ１３４）、処理を終了する。この処理により、操作されたフェーダに割り当てられている入力ｃｈのフェーダレベルを、フェーダの操作に応じて変更すると共に、表示内容や操作子の位置を更新することができる。なお、ｉ番目のフェーダによる操作対象機器は、レジスタＴＭ（ｉ）に設定してあるため、入力フェーダレベル設定処理では、ＴＭに代えてＴＭ（ｉ）の値を用いる。
【０１５５】
また、ステップＳ１３２で対象が出力ｃｈであった場合、変数ｏｃに、ＴＦ（ｉ）が示す出力ｃｈの番号を設定する（Ｓ１３５）と共に、図１８，図１９のステップＳ９２乃至Ｓ１０８に示した出力フェーダレベル設定処理を行い（Ｓ１３６）、処理を終了する。この処理により、操作されたフェーダに割り当てられている出力ｃｈ及びこれとリンクする出力ｃｈのフェーダレベルを、フェーダの操作に応じて変更すると共に、表示内容や操作子の位置を更新することができる。なお、出力フェーダレベル設定処理においても、ＴＭに代えてＴＭ（ｉ）の値を用いる。
【０１５６】
また、ステップＳ１３２で割り当てなしであった場合は、フェーダの操作に応じたパラメータの値の変更は行わずに、処理を終了する。
また、ステップＳ１３２で対象がＤＣＡグループであった場合には、図２３のステップＳ１４１以下の処理を行う。
【０１５７】
そして、まず変数ｄに、ＴＦ（ｉ）が示すＤＣＡグループの番号を設定する（Ｓ１４１）。その後、ＴＭ（ｉ）番目の機器用のカレントメモリにおけるｄ番目のＤＣＡグループのフェーダレベルＤＬ（ｄ）を、操作後のフェーダの位置をデシベルに換算した値Ｆｖｏｌに変更する（Ｓ１４２）と共に、多用途ｃｈストリップ部１３０及び表示パネル１４３における表示を、変更後のカレントメモリの内容に応じたものに変更する（Ｓ１４３）。
【０１５８】
次に、ｄ番目のＤＣＡグループのカスケードリンクがＯＮであるか否か判断する（Ｓ１４４）。ミキサシステム１において、ＤＣＡグループを機器毎に設けることは既に説明した通りであるが、ＤＣＡグループのカスケードリンクは、全ての機器で同じ番号のＤＣＡグループのフェーダレベルを同じ値とする機能である。そして、カスケードリンクは、全ての機器について共通の設定であり、ＤＣＡグループ１つ毎にオンオフを設定することができる。
ステップＳ１４４でカスケードリンクＯＮでなければ、他の項目についてパラメータの値を変更する必要はないため、図２２に戻ってそのまま処理を終了する。しかし、ＯＮであれば、ステップＳ１４５以下の、他の機器のＤＣＡグループに関する設定の処理を行う。
【０１５９】
この処理は、ＴＭ（ｉ）が示す機器以外の機器を順次選択し（Ｓ１４５，Ｓ１５０，Ｓ１５１）、その各機器用のカレントメモリにおいて、ｄ番目のＤＣＡグループのフェーダレベルＤＬ（ｄ）の値を、ステップＳ１４２と同じＦｖｏｌに設定するものである（Ｓ１４６）。また、表示パネルにおける表示の更新を行う（Ｓ１４７）と共に、多用途ｃｈストリップ部１３０のｃｈストリップに、フェーダレベルを変更したＤＣＡグループが割り当てられていた場合には、該当ｃｈストリップにおけるＤＣＡ操作子の位置の更新も行う（Ｓ１４８，Ｓ１４９）。
全ての機器についてこれらの処理が完了すると、処理はステップＳ１５０から図２２に戻り、終了する。
【０１６０】
また、図２２のステップＳ１３２でその他の対象であった場合には、その対象に応じた処理を行って（Ｓ１３７）、操作されたフェーダに割り当てられている対象のフェーダレベルの変更や、それに応じた表示の更新等を行う。例えば、ＳＴ入力ｃｈや、ＳＴ出力ｃｈ、モニタ出力ｃｈ等が割り当てられている場合が、このケースに該当する。
以上の処理により、多用途ｃｈストリップ部１３０のフェーダの操作に従い、多用途レイヤに従ってそのフェーダを含むｃｈストリップに割り当てられた対象のパラメータを編集することができる。そして、この処理においても、ＣＰＵ１１がパラメータ編集手段として機能する。
【０１６１】
なお、ステップＳ１４２やＳ１４６の処理によりＤＣＡグループのフェーダレベルを変化させた場合、そのＤＣＡグループに属する全てのｃｈについて、ＤＳＰ１６の信号処理に反映させるべき係数が変化することになる。従って、この場合、ＤＣＡグループのフェーダレベルを変化させた各デジタルミキサのＣＰＵ１１は、そのＤＣＡグループに属する全てのｃｈについて、図１６等に示した処理を行い、変更後のフェーダレベルの値に従った係数をＤＳＰに設定し直す。
【０１６２】
以上でこの実施形態の説明を終了するが、システムの構成、装置の構成、データの構成、具体的な処理内容等が、上述の実施形態で説明したものに限られないことはもちろんである。
例えば、各デジタルミキサに設けるｃｈやバスの数，種類，機能等が、上述した実施形態のものに限定されないことは、もちろんである。操作パネルに設けるｃｈストリップ部の数及び機能や、各ｃｈストリップ部に設けるｃｈストリップの数についても、同様である。カスケードバスの本数についても、ミキシングバスの種類毎に、ミキシングバスと同じ本数だけ設ける例について説明したが、これに限られることはなく、ミキシングバスの本数より多かったり、少なかったりしてもよい。
また、ミキシングバスとカスケードバスの対応関係として、図８の画面等でユーザに設定させたものではなく、予め固定的に定めておいたものを使用してもよい。
【０１６３】
また、入力ｃｈや出力ｃｈの数は、ミキサシステムを構成する必ずしも各デジタルミキサ間で全て共通である必要はない。
なお、あるミキサと別のミキサでｃｈ数が異なっていると、編集対象機器を切り替えた場合に、ｃｈストリップに割り当てられているｃｈが切り替え後のミキサに存在しなかったり、選択中のレイヤが切り替え後のミキサに存在しなかったりすることも考えられる。しかし、存在しないｃｈが割り当てられることになったｃｈストリップり、存在しないレイヤが選択されることになったｃｈストリップ部については、ｃｈを割り当てない場合と同様、操作子の操作に応じたパラメータの値を変更を行わないようにすれば、特に動作に問題は生じない。また、存在しないｃｈやレイヤの代わりに、編集対象機器に存在する別のｃｈやレイヤを自動で選択したり、切り替え前のｃｈやレイヤの選択を維持したりようにすることも考えられる。
【０１６４】
また、同様な状況は、機器選択スイッチ１４４と対応する２台目や３台目のデジタルミキサが、操作パネル１００を有するデジタルミキサとカスケード接続されていない場合にも起こり得る。しかし、この場合にも、編集対象機器の選択により、存在しないミキサのパラメータを操作に用いられることになった操作子について、操作子の操作に応じたパラメータの値を変更を行わないようにしたり、存在しない機器の代わりに、存在する別のミキサを編集対象機器として選択したり、存在しない機器が選択された場合に、編集対象機器を変更せずに元のまま維持したりすることが考えられる。
【０１６５】
また、実施形態の説明において、ｃｈ等の番号という表現を用いたが、この「番号」は、特定のｃｈ等を、他の同機能のｃｈ等と識別できるものであればどのようなものでもよい。従って、「番号」に代えて、文字や記号等を含め、任意の識別情報を用いても、上述した実施形態で説明したものと同趣旨の処理が可能である。
また、出力ｃｈリンク機能につき、上述の実施形態では、出力ｃｈリンクのオンオフを、１系統毎に設定する例について説明した。しかし、複数系統を単位として、その複数の系統毎に出力ｃｈリンクを設定できるようにし、そのうちいずれかの系統のカスケードバスから音響信号を供給する出力ｃｈを、全てリンクさせるようにしてもよい。このような機能は、２つのモノラルバスをセットにしてステレオのＬの信号とＲの信号を処理させるような場合に、有効に活用することができる。
【０１６６】
また、上述した実施形態で説明した種々の機能は、全て同時に設けず、１つずつ設けたとしても、その機能に特有の効果を発揮できるものである。
また、上述した実施形態では、デジタルミキサ３台を接続したミキサシステムについて説明したが、デジタルミキサを接続する台数は、これに限られない。また、ミキサシステムを構成するデジタルミキサ中に、操作パネルを有するものが複数あってもよい。また、例えば、ミキサシステムの操作に使用するデジタルミキサには大型で操作子の数が多い操作パネルを設け、その他のデジタルミキサには、単独で動作させる際に使用する、シーンリコール用操作子とパラメータ設定用の少数の増減操作子とを設けた簡単な操作パネルを設けることが考えられる。
【０１６７】
また、単体のデジタルミキサ以外にも、ハードディスクレコーダ、電子楽器、カラオケ装置、音源装置、ＭＩＤＩ（Musical Instruments Digital Interface：登録商標）シーケンサ等の音響信号処理装置にミキサの機能を持たせたような装置を用いて上述したようなミキサシステムを構成してもよい。さらにミキサシステム間の接続も、カスケード接続でなく、イーサネット，ＩＥＥＥ（Institute of Electrical and Electronic Engineers）１３９４，ＵＳＢ等を用いたネットワーク接続であってもよい。
また、レイヤ情報は、デジタルミキサそのものを用いて編集する必要はなく、ＰＣ（パーソナルコンピュータ）等により編集して、デジタルミキサに設定できるようにすることも考えられる。
【産業上の利用可能性】
【０１６８】
以上の説明から明らかなように、この発明のデジタルミキサによれば、１台のデジタルミキサに備える操作子を用いてカスケード接続される複数のデジタルミキサにおけるパラメータの値を編集する場合の操作性を向上させることができる。
従って、操作性の高いデジタルミキサを提供することができる。
【図面の簡単な説明】
【０１６９】
【図１】この発明の実施形態であるデジタルミキサを含むミキサシステムの構成を示すブロック図である。
【図２】図１に示したミキサシステムが実行する信号処理の概略構成を示す図である。
【図３】図２に示したカスケードバスに供給される音響信号の流れを示す図である。
【図４】カスケードリンクにより実現される機能を示す図である。
【図５】図１に示したデジタルミキサ１０が備える操作パネルの構成を示す図である。
【０１７０】
【図６】図５に示した多用途ｃｈストリップ部におけるｃｈストリップの構成を示す図である。
【図７】多用途レイヤの内容を設定するためのレイヤ設定画面の表示例を示す図である。
【図８】カスケードリンク及び出力ｃｈリンクに関する設定を受け付けるためのカスケードリンク設定画面の表示例を示す図である。
【図９】図８に示したカスケードリンク設定画面で設定するデータの例を示す。
【図１０】図１に示したミキサシステムにおけるリモート制御機能について説明するための図である。
【０１７１】
【図１１】図１０に示したカレントメモリ８１Ａの内容が変化した場合にデジタルミキサのＣＰＵが実行する処理のフローチャートである。
【図１２】同じくカレントメモリ８１Ｂ′又は８１Ｃ′の内容が変化した場合にデジタルミキサのＣＰＵが実行する処理のフローチャートである。
【図１３】機器選択スイッチの操作があった場合に図１に示したデジタルミキサ＃１のＣＰＵが実行する処理のフローチャートである。
【図１４】同じく入力ｃｈレイヤを選択するレイヤ選択スイッチの操作があった場合の処理のフローチャートである。
【図１５】同じく入力ｃｈストリップ部のフェーダの操作があった場合の処理のフローチャートである。
【０１７２】
【図１６】同じく入力ｃｈのフェーダレベルの変化をＤＳＰにおける信号処理に反映させる処理のフローチャートである。
【図１７】同じく出力ｃｈレイヤを選択するレイヤ選択スイッチの操作があった場合の処理のフローチャートである。
【図１８】同じく出力ｃｈストリップ部のフェーダの操作があった場合の処理のフローチャートである。
【図１９】図１８の続きのフローチャートである。
【図２０】多用途レイヤを選択するレイヤ選択スイッチの操作があった場合に図１に示したデジタルミキサ＃１のＣＰＵが実行する処理のフローチャートである。
【図２１】図２０の続きのフローチャートである。
【図２２】多用途ｃｈストリップ部のフェーダの操作があった場合に図１に示したデジタルミキサ＃１のＣＰＵが実行する処理のフローチャートである。
【図２３】図２２の続きのフローチャートである。
【符号の説明】
【０１７３】
１…ミキサシステム、１０，３０（＃１〜＃３）…デジタルミキサ、１１…ＣＰＵ、１２…フラッシュメモリ、１３…ＲＡＭ、１４…外部機器Ｉ／Ｏ、１５…波形Ｉ／Ｏ、１６…ＤＳＰ、１７…カスケードＩ／Ｏ、４４，４４′…ミキシングバス、５１，５２…カスケードバス、６３…出力ｃｈ、１００…操作パネル、１１０…入力ｃｈストリップ部、１１１，１２１，１３１…レイヤ選択スイッチ、１２０…出力ｃｈストリップ部、１３０…多用途ｃｈストリップ部、１４３…表示パネル、１４４…機器選択スイッチ、１６０…ｃｈストリップ、２００…レイヤ設定画面、３００…カスケードリンク設定画面
【図１】
2008227763.tif 000004
【図２】
2008227763.tif 000005
【図３】
2008227763.tif 000006
【図４】
2008227763.tif 000007
【図５】
2008227763.tif 000008
【図６】
2008227763.tif 000009
【図７】
2008227763.tif 000010
【図８】
2008227763.tif 000011
【図９】
2008227763.tif 000012
【図１０】
2008227763.tif 000013
【図１１】
2008227763.tif 000014
【図１２】
2008227763.tif 000015
【図１３】
2008227763.tif 000016
【図１４】
2008227763.tif 000017
【図１５】
2008227763.tif 000018
【図１６】
2008227763.tif 000019
【図１７】
2008227763.tif 000020
【図１８】
2008227763.tif 000021
【図１９】
2008227763.tif 000022
【図２０】
2008227763.tif 000023
【図２１】
2008227763.tif 000024
【図２２】
2008227763.tif 000025
【図２３】
2008227763.tif 000026